(57)【要約】【課題】本発明によれば、基地局装置と移動局装置が、上りリンク信号または上りリンク参照信号に関するパラメータを決定し、効率的に通信することができる移動局装置、基地局装置、通信方法、集積回路および無線通信システムを提供する。【解決手段】移動局装置であって、物理下りリンク制御チャネルをコモンサーチスペースで検出した場合には、第１のパラメータを使用して生成した上りリンク信号を物理上りリンク制御チャネルで送信し、前記物理下りリンク制御チャネルをユーザー装置スペシフィックサーチスペースで検出した場合には、第２のパラメータを使用して生成した上りリンク信号を前記物理上りリンク制御チャネルで送信する。【選択図】図５
2014039297.tif 000002
【特許請求の範囲】
【請求項１】
参照信号系列に基づいて生成される復調参照信号であって、物理上りリンク共用チャネルでの送信に関連する前記復調参照信号、または、物理上りリンク制御チャネルでの送信に関連する前記復調参照信号を基地局装置へ送信する端末装置であって、
（１）前記参照信号系列を、少なくとも、系列グループ番号、および、サイクリックシフトの値に基づいて生成する手段と、
前記物理上りリンク共用チャネルでの送信に関連する前記復調参照信号に対して、
（２）物理レイヤセルアイデンティティに基づいて、前記系列グループ番号、および、前記サイクリックシフトの値を決定する手段と、
（３）上位層によって設定されたパラメータの値に基づいて、前記系列グループ番号、および、前記サイクリックシフトの値を決定する手段と、
前記物理上りリンク制御チャネルでの送信に関連する前記復調参照信号に対して、
（４）プライマリセルに対応する前記物理レイヤセルアイデンティティに基づいて、前記系列グループ番号、および、前記サイクリックシフトの値を決定する手段と、
（５）上位層によって設定されたパラメータの値に基づいて、前記系列グループ番号、および、前記サイクリックシフトの値を決定する手段と、を備え、
前記物理上りリンク共用チャネルでの送信に関連する前記復調参照信号に対して、
（ａ）前記パラメータの値が設定されていない、または、ランダムアクセスプロシージャにおいて、トランスポートブロックの再送信に対応する、Ｔｅｍｐｏｒａｒｙ  Ｃ−ＲＮＴＩによってスクランブルされたＣＲＣパリティビットが付加された下りリンク制御情報フォーマットを使用してスケジュールされた前記物理上りリンク共用チャネルでの送信を行う場合には、前記物理レイヤセルアイデンティティに基づいて、前記系列グループ番号、および、前記サイクリックシフトの値を決定し；
（ｂ）前記パラメータの値が設定されており、且つ、Ｃ−ＲＮＴＩによってスクランブルされたＣＲＣパリティビットが付加された下りリンク制御情報フォーマットを使用してスケジュールされた前記物理上りリンク共用チャネルでの送信を行う場合には、前記パラメータの値に基づいて、前記系列グループ番号、および、前記サイクリックシフトの値を決定し；
前記物理上りリンク制御チャネルでの送信に関連する前記復調参照信号に対して、
（ｃ）前記パラメータの値が設定されていない場合には、前記プライマリセルに対応する前記物理レイヤセルアイデンティティに基づいて、前記系列グループ番号、および、前記サイクリックシフトの値を決定し；
（ｄ）前記パラメータの値が設定されている場合には、前記パラメータの値に基づいて、前記系列グループ番号、および、前記サイクリックシフトの値を決定する；
ことを特徴とする端末装置。
【請求項２】
前記系列グループ番号は、グループホッピングパターン、および、系列シフトパターンによって定義され、
前記物理上りリンク共用チャネルでの送信に関連する前記復調参照信号に対して、
系列グループホッピングが無効である場合には、
（ａ）前記グループホッピングパターンを０として決定し；
前記パラメータの値が設定されていない、または、ランダムアクセスプロシージャにおいて、トランスポートブロックの再送信に対応する、Ｔｅｍｐｏｒａｒｙ  Ｃ−ＲＮＴＩによってスクランブルされたＣＲＣパリティビットが付加された下りリンク制御情報フォーマットを使用してスケジュールされた前記物理上りリンク共用チャネルでの送信を行う場合において、
（ｂ）前記系列グループホッピングが有効であるならば、前記物理レイヤセルアイデンティティに基づいて、前記グループホッピングパターンを決定し；
（ｃ）前記物理レイヤセルアイデンティティに基づいて、前記系列シフトパターンを決定し；
前記パラメータの値が設定されており、且つ、Ｃ−ＲＮＴＩによってスクランブルされたＣＲＣパリティビットが付加された下りリンク制御情報フォーマットを使用してスケジュールされた前記物理上りリンク共用チャネルでの送信を行う場合において、
（ｄ）前記系列グループホッピングが有効であるならば、前記パラメータの値に基づいて、前記グループホッピングパターンを決定し；
（ｅ）前記パラメータの値に基づいて、前記系列シフトパターンを決定し；
前記物理上りリンク制御チャネルでの送信に関連する前記復調参照信号に対して、
前記系列グループホッピングが無効である場合には、
（ｆ）前記グループホッピングパターンを０として決定し；
前記パラメータの値が設定されていない場合において、
（ｇ）前記系列グループホッピングが有効であるならば、前記プライマリセルに対応する前記物理レイヤセルアイデンティティに基づいて、前記グループホッピングパターンを決定し；
（ｈ）前記プライマリセルに対応する前記物理レイヤセルアイデンティティに基づいて、前記系列シフトパターンを決定し；
前記パラメータの値が設定されている場合において、
（ｉ）前記系列グループホッピングが有効であるならば、前記パラメータの値に基づいて、前記グループホッピングパターンを決定し；
（ｊ）前記パラメータの値に基づいて、前記系列シフトパターンを決定する；
ことを特徴とする請求項１に記載の端末装置。
【請求項３】
少なくとも、系列グループ番号、および、サイクリックシフトの値に基づいて参照信号系列が生成される復調参照信号であって、物理上りリンク共用チャネルでの送信に関連する前記復調参照信号、または、物理上りリンク制御チャネルでの送信に関連する前記復調参照信号を端末装置から受信する基地局装置であって、
前記物理上りリンク共用チャネルでの送信に関連する前記復調参照信号に対して、
（１）物理レイヤセルアイデンティティに基づいて、前記系列グループ番号、および、前記サイクリックシフトの値を特定する手段と、
（２）上位層のパラメータの値に基づいて、前記系列グループ番号、および、前記サイクリックシフトの値を特定する手段と、
前記物理上りリンク制御チャネルでの送信に関連する前記復調参照信号に対して、
（３）プライマリセルに対応する前記物理レイヤセルアイデンティティに基づいて、前記系列グループ番号、および、前記サイクリックシフトの値を特定する手段と、
（４）上位層のパラメータの値に基づいて、前記系列グループ番号、および、前記サイクリックシフトの値を特定する手段と、を備え、
前記物理上りリンク共用チャネルでの送信に関連する前記復調参照信号に対して、
（ａ）前記パラメータの値を前記端末装置へ設定していない、または、ランダムアクセスプロシージャにおいて、前記端末装置によるトランスポートブロックの再送信に対応する、Ｔｅｍｐｏｒａｒｙ  Ｃ−ＲＮＴＩによってスクランブルされたＣＲＣパリティビットが付加された下りリンク制御情報フォーマットを使用してスケジュールした前記物理上りリンク共用チャネルでの受信を行う場合には、前記物理レイヤセルアイデンティティに基づいて、前記系列グループ番号、および、前記サイクリックシフトの値を特定し；
（ｂ）前記パラメータの値を前記端末装置へ設定しており、且つ、Ｃ−ＲＮＴＩによってスクランブルされたＣＲＣパリティビットが付加された下りリンク制御情報フォーマットを使用してスケジュールした前記物理上りリンク共用チャネルでの受信を行う場合には、前記パラメータの値に基づいて、前記系列グループ番号、および、前記サイクリックシフトの値を特定し；
前記物理上りリンク制御チャネルでの送信に関連する前記復調参照信号に対して、
（ｃ）前記パラメータの値を前記端末装置へ設定していない場合には、前記プライマリセルに対応する前記物理レイヤセルアイデンティティに基づいて、前記系列グループ番号、および、前記サイクリックシフトの値を特定し；
（ｄ）前記パラメータの値を前記端末装置へ設定している場合には、前記パラメータの値に基づいて、前記系列グループ番号、および、前記サイクリックシフトの値を特定する；
ことを特徴とする基地局装置。
【請求項４】
前記系列グループ番号は、グループホッピングパターン、および、系列シフトパターンによって定義され、
前記物理上りリンク共用チャネルでの送信に関連する前記復調参照信号に対して、
系列グループホッピングが無効である場合には、
（ａ）前記グループホッピングパターンを０として特定し；
前記パラメータの値を前記端末装置へ設定していない、または、ランダムアクセスプロシージャにおいて、前記端末装置によるトランスポートブロックの再送信に対応する、Ｔｅｍｐｏｒａｒｙ  Ｃ−ＲＮＴＩによってスクランブルされたＣＲＣパリティビットが付加された下りリンク制御情報フォーマットを使用してスケジュールした前記物理上りリンク共用チャネルでの受信を行う場合において、
（ｂ）前記系列グループホッピングが有効であるならば、前記物理レイヤセルアイデンティティに基づいて、前記グループホッピングパターンを特定し；
（ｃ）前記物理レイヤセルアイデンティティに基づいて、前記系列シフトパターンを特定し；
前記パラメータの値を前記端末装置へ設定しており、且つ、前記Ｃ−ＲＮＴＩによってスクランブルされたＣＲＣパリティビットが付加された下りリンク制御情報フォーマットを使用してスケジュールした前記物理上りリンク共用チャネルでの受信を行う場合において、
（ｄ）前記系列グループホッピングが有効であるならば、前記パラメータの値に基づいて、前記グループホッピングパターンを特定し；
（ｅ）前記パラメータの値に基づいて、前記系列シフトパターンを特定し；
前記物理上りリンク制御チャネルでの送信に関連する前記復調参照信号に対して、
前記系列グループホッピングが無効である場合には、
（ｆ）前記グループホッピングパターンを０として特定し；
前記パラメータの値を前記端末装置へ設定していない場合において、
（ｇ）前記系列グループホッピングが有効であるならば、プライマリセルに対応する前記物理レイヤセルアイデンティティに基づいて、前記グループホッピングパターンを特定し；
（ｈ）プライマリセルに対応する前記物理レイヤセルアイデンティティに基づいて、前記系列シフトパターンを特定し；
前記パラメータの値を前記端末装置へ設定している場合において、
（ｉ）前記系列グループホッピングが有効であるならば、前記パラメータの値に基づいて、前記グループホッピングパターンを特定し；
（ｊ）前記パラメータの値に基づいて、前記系列シフトパターンを特定する；
ことを特徴とする請求項３に記載の基地局装置。
【請求項５】
前記物理上りリンク共用チャネルでの送信に関連する前記復調参照信号を使用した前記物理上りリンク共用チャネルでの受信処理、または、前記物理上りリンク制御チャネルでの送信に関連する前記復調参照信号を使用した前記物理上りリンク制御チャネルでの受信処理を行う手段を、備える
ことを特徴とする請求項３または請求項４のいずれかに記載の基地局装置。
【請求項６】
参照信号系列に基づいて生成される復調参照信号であって、物理上りリンク共用チャネルでの送信に関連する前記復調参照信号、または、物理上りリンク制御チャネルでの送信に関連する前記復調参照信号を基地局装置へ送信する端末装置に実装される集積回路であって、
（１）前記参照信号系列を、少なくとも、系列グループ番号、および、サイクリックシフトの値に基づいて生成する第１の機能と、
前記物理上りリンク共用チャネルでの送信に関連する前記復調参照信号に対して、
（２）物理レイヤセルアイデンティティに基づいて、前記系列グループ番号、および、前記サイクリックシフトの値を決定する第２の機能と、
（３）上位層によって設定されたパラメータの値に基づいて、前記系列グループ番号、および、前記サイクリックシフトの値を決定する第３の機能と、
前記物理上りリンク制御チャネルでの送信に関連する前記復調参照信号に対して、
（４）プライマリセルに対応する前記物理レイヤセルアイデンティティに基づいて、前記系列グループ番号、および、前記サイクリックシフトの値を決定する第４の機能と、
（５）上位層によって設定されたパラメータの値に基づいて、前記系列グループ番号、および、前記サイクリックシフトの値を決定する第５の機能と、を前記端末装置へ発揮させ、
前記物理上りリンク共用チャネルでの送信に関連する前記復調参照信号に対して、
（ａ）前記パラメータの値が設定されていない、または、ランダムアクセスプロシージャにおいて、トランスポートブロックの再送信に対応する、Ｔｅｍｐｏｒａｒｙ  Ｃ−ＲＮＴＩによってスクランブルされたＣＲＣパリティビットが付加された下りリンク制御情報フォーマットを使用してスケジュールされた前記物理上りリンク共用チャネルでの送信を行う場合には、前記物理レイヤセルアイデンティティに基づいて、前記系列グループ番号、および、前記サイクリックシフトの値を決定する第２の機能を、前記端末装置へ発揮させ、
（ｂ）前記パラメータの値が設定されており、且つ、Ｃ−ＲＮＴＩによってスクランブルされたＣＲＣパリティビットが付加された下りリンク制御情報フォーマットを使用してスケジュールされた前記物理上りリンク共用チャネルでの送信を行う場合には、前記パラメータの値に基づいて、前記系列グループ番号、および、前記サイクリックシフトの値を決定する第３の機能を、前記端末装置へ発揮させ、
前記物理上りリンク制御チャネルでの送信に関連する前記復調参照信号に対して、
（ｃ）前記パラメータの値が設定されていない場合には、前記プライマリセルに対応する前記物理レイヤセルアイデンティティに基づいて、前記系列グループ番号、および、前記サイクリックシフトの値を決定する第４の機能を、前記端末装置へ発揮させ；
（ｄ）前記パラメータの値が設定されている場合には、前記パラメータの値に基づいて、前記系列グループ番号、および、前記サイクリックシフトの値を決定する第５の機能を、前記端末装置へ発揮させる
ことを特徴とする集積回路。
【請求項７】
前記系列グループ番号は、グループホッピングパターン、および、系列シフトパターンによって定義され、
前記物理上りリンク共用チャネルでの送信に関連する前記復調参照信号に対して、
系列グループホッピングが無効である場合には、
（ａ）前記グループホッピングパターンを０として決定する第６の機能と；
前記パラメータの値が設定されていない、または、ランダムアクセスプロシージャにおいて、トランスポートブロックの再送信に対応する、Ｔｅｍｐｏｒａｒｙ  Ｃ−ＲＮＴＩによってスクランブルされたＣＲＣパリティビットが付加された下りリンク制御情報フォーマットを使用してスケジュールされた前記物理上りリンク共用チャネルでの送信を行う場合において、
（ｂ）前記系列グループホッピングが有効であるならば、前記物理レイヤセルアイデンティティに基づいて、前記グループホッピングパターンを決定する第７の機能と；
（ｃ）前記物理レイヤセルアイデンティティに基づいて、前記系列シフトパターンを決定する第８の機能と；
前記パラメータの値が設定されており、且つ、Ｃ−ＲＮＴＩによってスクランブルされたＣＲＣパリティビットが付加された下りリンク制御情報フォーマットを使用してスケジュールされた前記物理上りリンク共用チャネルでの送信を行う場合において、
（ｄ）前記系列グループホッピングが有効であるならば、前記パラメータの値に基づいて、前記グループホッピングパターンを決定する第９の機能と；
（ｅ）前記パラメータの値に基づいて、前記系列シフトパターンを決定する第１０の機能と；
前記物理上りリンク制御チャネルでの送信に関連する前記復調参照信号に対して、
前記系列グループホッピングが無効である場合には、
（ｆ）前記グループホッピングパターンを０として決定する第１１の機能と；
前記パラメータの値が設定されていない場合において、
（ｇ）前記系列グループホッピングが有効であるならば、前記プライマリセルに対応する前記物理レイヤセルアイデンティティに基づいて、前記グループホッピングパターンを決定する第１２の機能と；
（ｈ）前記プライマリセルに対応する前記物理レイヤセルアイデンティティに基づいて、前記系列シフトパターンを決定する第１３の機能と；
前記パラメータの値が設定されている場合において、
（ｉ）前記系列グループホッピングが有効であるならば、前記パラメータの値に基づいて、前記グループホッピングパターンを決定する第１４の機能と；
（ｊ）前記パラメータの値に基づいて、前記系列シフトパターンを決定する第１５の機能と；
を前記端末装置へ発揮させることを特徴とする請求項６に記載の集積回路。
【請求項８】
少なくとも、系列グループ番号、および、サイクリックシフトの値に基づいて参照信号系列が生成される復調参照信号であって、物理上りリンク共用チャネルでの送信に関連する前記復調参照信号、または、物理上りリンク制御チャネルでの送信に関連する前記復調参照信号を端末装置から受信する基地局装置に実装される集積回路であって、
前記物理上りリンク共用チャネルでの送信に関連する前記復調参照信号に対して、
（１）物理レイヤセルアイデンティティに基づいて、前記系列グループ番号、および、前記サイクリックシフトの値を特定する第１の機能と、
（２）上位層のパラメータの値に基づいて、前記系列グループ番号、および、前記サイクリックシフトの値を特定する第２の機能と、
前記物理上りリンク制御チャネルでの送信に関連する前記復調参照信号に対して、
（３）プライマリセルに対応する前記物理レイヤセルアイデンティティに基づいて、前記系列グループ番号、および、前記サイクリックシフトの値を特定する第３の機能と、
（４）上位層のパラメータの値に基づいて、前記系列グループ番号、および、前記サイクリックシフトの値を特定する第４の機能と、を前記基地局装置へ発揮させ、
前記物理上りリンク共用チャネルでの送信に関連する前記復調参照信号に対して、
（ａ）前記パラメータの値を前記端末装置へ設定していない、または、ランダムアクセスプロシージャにおいて、前記端末装置によるトランスポートブロックの再送信に対応する、Ｔｅｍｐｏｒａｒｙ  Ｃ−ＲＮＴＩによってスクランブルされたＣＲＣパリティビットが付加された下りリンク制御情報フォーマットを使用してスケジュールした前記物理上りリンク共用チャネルでの受信を行う場合には、前記物理レイヤセルアイデンティティに基づいて、前記系列グループ番号、および、前記サイクリックシフトの値を特定する前記第１の機能を、前記基地局装置へ発揮させ、
（ｂ）前記パラメータの値を前記端末装置へ設定しており、且つ、Ｃ−ＲＮＴＩによってスクランブルされたＣＲＣパリティビットが付加された下りリンク制御情報フォーマットを使用してスケジュールした前記物理上りリンク共用チャネルでの受信を行う場合には、前記パラメータの値に基づいて、前記系列グループ番号、および、前記サイクリックシフトの値を特定する前記第２の機能を、前記基地局装置へ発揮させ、
前記物理上りリンク制御チャネルでの送信に関連する前記復調参照信号に対して、
（ｃ）前記パラメータの値を前記端末装置へ設定していない場合には、前記プライマリセルに対応する前記物理レイヤセルアイデンティティに基づいて、前記系列グループ番号、および、前記サイクリックシフトの値を特定する前記第３の機能を、前記基地局装置へ発揮させ、
（ｄ）前記パラメータの値を前記端末装置へ設定している場合には、前記パラメータの値に基づいて、前記系列グループ番号、および、前記サイクリックシフトの値を特定する前記第４の機能を、前記基地局装置へ発揮させる
ことを特徴とする集積回路。
【請求項９】
前記系列グループ番号は、グループホッピングパターン、および、系列シフトパターンによって定義され、
前記物理上りリンク共用チャネルでの送信に関連する前記復調参照信号に対して、
系列グループホッピングが無効である場合には、
（ａ）前記グループホッピングパターンを０として特定する第５の機能と；  
前記パラメータの値を前記端末装置へ設定していない、または、ランダムアクセスプロシージャにおいて、前記端末装置によるトランスポートブロックの再送信に対応する、Ｔｅｍｐｏｒａｒｙ  Ｃ−ＲＮＴＩによってスクランブルされたＣＲＣパリティビットが付加された下りリンク制御情報フォーマットを使用してスケジュールした前記物理上りリンク共用チャネルでの受信を行う場合において、
（ｂ）前記系列グループホッピングが有効であるならば、前記物理レイヤセルアイデンティティに基づいて、前記グループホッピングパターンを特定する第６の機能と；
（ｃ）前記物理レイヤセルアイデンティティに基づいて、前記系列シフトパターンを特定する第７の機能と；
前記パラメータの値を前記端末装置へ設定しており、且つ、前記Ｃ−ＲＮＴＩによってスクランブルされたＣＲＣパリティビットが付加された下りリンク制御情報フォーマットを使用してスケジュールした前記物理上りリンク共用チャネルでの受信を行う場合において、
（ｄ）前記系列グループホッピングが有効であるならば、前記パラメータの値に基づいて、前記グループホッピングパターンを特定する第８の機能と；
（ｅ）前記パラメータの値に基づいて、前記系列シフトパターンを特定する第９の機能と；
前記物理上りリンク制御チャネルでの送信に関連する前記復調参照信号に対して、
前記系列グループホッピングが無効である場合には、
（ｆ）前記グループホッピングパターンを０として特定する第１０の機能と；  
前記パラメータの値を前記端末装置へ設定していない場合において、
（ｇ）前記系列グループホッピングが有効であるならば、プライマリセルに対応する前記物理レイヤセルアイデンティティに基づいて、前記グループホッピングパターンを特定する第１１の機能と；
（ｈ）プライマリセルに対応する前記物理レイヤセルアイデンティティに基づいて、前記系列シフトパターンを特定する第１２の機能と；
前記パラメータの値を前記端末装置へ設定している場合において、
（ｉ）前記系列グループホッピングが有効であるならば、前記パラメータの値に基づいて、前記グループホッピングパターンを特定する第１３の機能と；
（ｊ）前記パラメータの値に基づいて、前記系列シフトパターンを特定する第１４の機能と；
を前記基地局装置へ発揮させることを特徴とする請求項８に記載の集積回路。
【請求項１０】
前記物理上りリンク共用チャネルでの送信に関連する前記復調参照信号を使用した前記物理上りリンク共用チャネルでの受信処理、または、前記物理上りリンク制御チャネルでの送信に関連する前記復調参照信号を使用した前記物理上りリンク制御チャネルでの受信処理を行う第１５の機能を、前記基地局装置へ発揮させる
ことを特徴とする請求項８または請求項９のいずれかに記載の集積回路。
【発明の詳細な説明】
【技術分野】
【０００１】
本発明は、端末装置、基地局装置および集積回路に関する。
【背景技術】
【０００２】
３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）によるＬＴＥ（Ｌｏｎｇ  Ｔｅｒｍ  Ｅｖｏｌｕｔｉｏｎ）、ＬＴＥ−Ａ（ＬＴＥ−Ａｄｖａｎｃｅｄ）やＩＥＥＥ（Ｔｈｅ  Ｉｎｓｔｉｔｕｔｅ  ｏｆ  Ｅｌｅｃｔｒｉｃａｌ  ａｎｄ  Ｅｌｅｃｔｒｏｎｉｃｓ  ｅｎｇｉｎｅｅｒｓ）によるＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）のような無線通信システムでは、基地局および端末のそれぞれが、１つまたは複数の送受信アンテナを備えて、例えば、ＭＩＭＯ（Ｍｕｌｔｉｐｌｅ  Ｉｎｐｕｔ  Ｍｕｌｔｉｐｌｅ  Ｏｕｔｐｕｔ）技術を利用することによって、高速なデータ伝送を実現することができる。
【０００３】
ここで、無線通信システムにおいて、複数の端末が、同一の周波数、時間リソースを使用して空間多重を行うＭＵ−ＭＩＭＯ（Ｍｕｌｔｉｐｌｅ  Ｕｓｅｒ  ＭＩＭＯ）をサポートすることが検討されている。また、複数の基地局が互いに協調して干渉コーディネーションを行うＣｏＭＰ（Ｃｏｏｐｅｒａｔｉｖｅ  Ｍｕｌｔｉｐｏｉｎｔ）伝送方式をサポートすることが検討されている。例えば、カバレッジの広いマクロ基地局と、そのマクロ基地局よりもカバレッジの狭いＲＲＨ（Ｒｅｍｏｔｅ  Ｒａｄｉｏ  Ｈｅａｄ）などによるヘテロジーニアスネットワーク配置（ＨｅｔＮｅｔ；Ｈｅｔｅｒｏｇｅｎｅｏｕｓ  Ｎｅｔｗｏｒｋ  ｄｅｐｌｏｙｍｅｎｔ）における無線通信システムが検討されている。
【０００４】
このような無線通信システムにおいて、複数の端末のそれぞれによって送信される上りリンク信号（上りリンクデータや上りリンク制御情報）が、同一の特性である場合、干渉が生じてしまう。また、複数の端末のそれぞれによって送信される上りリンク参照信号が、同一の特性である場合、干渉が生じてしまう。ここで、例えば、複数の端末のそれぞれによって送信される復調用参照信号（ＤＭＲＳ；Ｄｅｍｏｄｕｌａｔｉｏｎ  Ｒｅｆｅｒｅｎｃｅ  Ｓｉｇｎａｌとも呼称される）の干渉を軽減、抑圧するために、復調用参照信号を直交化させるための方法が提案されている（非特許文献１）。
【先行技術文献】
【非特許文献】
【０００５】
【非特許文献１】ＤＭＲＳ  ｅｎｈａｎｃｅｍｅｎｔｓ  ｆｏｒ  ＵＬ  ＣｏＭＰ；  ３ＧＰＰ  ＴＳＧ  ＲＡＮ  ＷＧ１  ｍｅｅｔｉｎｇ＃６８  Ｒ１−１２０２７７、Ｆｅｂｒｕａｒｙ  ６ｔｈ−１０ｔｈ、２０１２.
【発明の概要】
【発明が解決しようとする課題】
【０００６】
しかしながら、上述のような無線通信システムにおいて、基地局と端末が、上りリンク信号または上りリンク参照信号に関するパラメータを決定する際の具体的な手順に関する記載はなかった。すなわち、基地局と端末が、上りリンク信号または上りリンク参照信号に関するパラメータをどのように決定し、通信を行うかの記載がなかった。
【０００７】
本発明は、上記問題を鑑みてなされたものであり、その目的は、基地局と端末が、上りリンク信号または上りリンク参照信号に関するパラメータを決定し、効率的に通信することができる基地局装置、移動局装置、通信方法および通信システムを提供する。
【課題を解決するための手段】
【０００８】
（１）上記の目的を達成するために、本発明は、以下のような手段を講じた。すなわち、基地局装置と通信する移動局装置であって、物理下りリンク制御チャネルをコモンサーチスペースで検出した場合には、第１のパラメータを使用して生成した上りリンク信号を物理上りリンク制御チャネルで前記基地局装置へ送信し、前記物理下りリンク制御チャネルをユーザー装置スペシフィックサーチスペースで検出した場合には、第２のパラメータを使用して生成した上りリンク信号を前記物理上りリンク制御チャネルで前記基地局装置へ送信することを特徴としている。
【０００９】
（２）また、移動局装置と通信する基地局装置であって、物理下りリンク制御チャネルをコモンサーチスペースに配置した場合には、第１のパラメータを使用して生成した上りリンク信号を物理上りリンク制御チャネルで前記移動局装置から受信し、前記物理下りリンク制御チャネルをユーザー装置スペシフィックサーチスペースで検出した場合には、第２のパラメータを使用して生成した上りリンク信号を前記物理上りリンク制御チャネルで前記移動局装置から受信することを特徴としている。
【００１０】
（３）また、基地局装置と通信する移動局装置の通信方法であって、物理下りリンク制御チャネルをコモンサーチスペースで検出した場合には、第１のパラメータを使用して生成した上りリンク信号を物理上りリンク制御チャネルで前記基地局装置へ送信し、前記物理下りリンク制御チャネルをユーザー装置スペシフィックサーチスペースで検出した場合には、第２のパラメータを使用して生成した上りリンク信号を前記物理上りリンク制御チャネルで前記基地局装置へ送信することを特徴としている。
【００１１】
（４）また、移動局装置と通信する基地局装置の通信方法であって、物理下りリンク制御チャネルをコモンサーチスペースに配置した場合には、第１のパラメータを使用して生成した上りリンク信号を物理上りリンク制御チャネルで前記移動局装置から受信し、前記物理下りリンク制御チャネルをユーザー装置スペシフィックサーチスペースで検出した場合には、第２のパラメータを使用して生成した上りリンク信号を前記物理上りリンク制御チャネルで前記移動局装置から受信することを特徴としている。
【００１２】
（５）また、基地局装置と通信する移動局装置に搭載される集積回路であって、物理下りリンク制御チャネルをコモンサーチスペースで検出した場合には、第１のパラメータを使用して生成した上りリンク信号を物理上りリンク制御チャネルで前記基地局装置へ送信する機能と、前記物理下りリンク制御チャネルをユーザー装置スペシフィックサーチスペースで検出した場合には、第２のパラメータを使用して生成した上りリンク信号を前記物理上りリンク制御チャネルで前記基地局装置へ送信する機能と、を前記移動局装置へ発揮させることを特徴としている。
【００１３】
（６）また、移動局装置と通信する基地局装置に搭載される集積回路であって、物理下りリンク制御チャネルをコモンサーチスペースに配置した場合には、第１のパラメータを使用して生成した上りリンク信号を物理上りリンク制御チャネルで前記移動局装置から受信する機能と、前記物理下りリンク制御チャネルをユーザー装置スペシフィックサーチスペースで検出した場合には、第２のパラメータを使用して生成した上りリンク信号を前記物理上りリンク制御チャネルで前記移動局装置から受信する機能と、を前記基地局装置へ発揮させることを特徴としている。
【００１４】
（７）また、基地局装置と移動局装置が通信する無線通信システムであって、前記基地局装置は、物理下りリンク制御チャネルを、コモンサーチスペースまたはユーザー装置スペシフィックサーチスペースに配置し、前記移動局装置は、前記物理下りリンク制御チャネルを、コモンサーチスペースで検出した場合には、第１のパラメータを使用して生成した上りリンク信号を物理上りリンク制御チャネルで前記基地局装置へ送信し、前記物理下りリンク制御チャネルをユーザー装置スペシフィックサーチスペースで検出した場合には、第２のパラメータを使用して生成した上りリンク信号を前記物理上りリンク制御チャネルで前記基地局装置へ送信することを特徴としている。
【発明の効果】
【００１５】
本発明によれば、基地局と端末が、上りリンク信号または上りリンク参照信号に関するパラメータを決定し、効率的に通信することができる。
【図面の簡単な説明】
【００１６】
【図１】本発明の実施形態に係る基地局の構成を示す概略ブロック図である。
【図２】本発明の実施形態に係る端末の構成を示す概略ブロック図である。
【図３】本発明の実施形態に係る通信の例を示す概略図である。
【図４】下りリンク信号の例を示す図である。
【図５】本発明の実施形態を説明する図である。
【発明を実施するための形態】
【００１７】
以下、本発明の実施形態について説明する。本発明の実施形態における無線通信システムは、基地局装置（以下、基地局、送信装置、セル、サービングセル、送信局、送信点、送信アンテナ群、送信アンテナポート群、ｅＮｏｄｅＢとも呼称される）として、プライマリー基地局（マクロ基地局、第１の基地局、第１の通信装置、サービング基地局、アンカー基地局、プライマリセルとも呼称される）およびセカンダリー基地局（ＲＲＨ、ピコ基地局、フェムト基地局、Ｈｏｍｅ  ｅＮｏｄｅＢ、第２の基地局装置、第２の通信装置、協調基地局群、協調基地局セット、協調基地局、セカンダリセルとも呼称される）を備える。また、移動局装置（以下、端末、端末装置、移動端末、受信装置、受信点、受信端末、第３の通信装置、受信アンテナ群、受信アンテナポート群、ユーザー装置（ＵＥ；Ｕｓｅｒ  Ｅｑｕｉｐｍｅｎｔ）とも呼称される）を備える。
【００１８】
ここで、セカンダリー基地局は、複数のセカンダリー基地局として示されても良い。例えば、プライマリー基地局とセカンダリー基地局は、ヘテロジーニアスネットワーク配置を利用して、セカンダリー基地局のカバレッジの一部または全てが、プライマリー基地局のカバレッジに含まれ、端末と通信が行われる。
【００１９】
図１は、本発明の実施形態に係る基地局の構成を示す概略ブロック図である。ここで、図１に示される基地局は、プライマリー基地局やセカンダリー基地局が含まれる。基地局は、データ制御部１０１と、送信データ変調部１０２と、無線部１０３と、スケジューリング部１０４と、チャネル推定部１０５と、受信データ復調部１０６と、データ抽出部１０７と、上位層１０８と、アンテナ１０９と、を含んで構成される。また、無線部１０３、スケジューリング部１０４、チャネル推定部１０５、受信データ復調部１０６、データ抽出部１０７、上位層１０８およびアンテナ１０９で受信部を構成する。また、データ制御部１０１、送信データ変調部１０２、無線部１０３、スケジューリング部１０４、上位層１０８およびアンテナ１０９で送信部を構成する。ここで、基地局を構成する各部を、ユニットとも呼称する。
【００２０】
データ制御部１０１は、スケジューリング部１０４からトランスポートチャネルを受信する。データ制御部１０１は、トランスポートチャネルと物理層で生成される信号を、スケジューリング部１０４から入力されるスケジューリング情報に基づいて、物理チャネルにマッピングする。マッピングされた各データは、送信データ変調部１０２へ出力される。
【００２１】
送信データ変調部１０２は、送信データを変調／符号化する。送信データ変調部１０２は、データ制御部１０１から入力されたデータに対して、スケジューリング部１０４からのスケジューリング情報などに基づいて、変調／符号化、入力信号の直列／並列変換、ＩＦＦＴ（逆高速フーリエ変換：Ｉｎｖｅｒｓｅ  Ｆａｓｅ  Ｆｏｕｒｉｅｒ  Ｔｒａｎｓｆｏｒｍ）処理、ＣＰ（Ｃｙｃｌｉｃ  Ｐｒｅｆｉｘ）挿入などの信号処理を行ない、送信データを生成して、無線部１０３へ出力する。
【００２２】
無線部１０３は、送信データ変調部１０２から入力された送信データを無線周波数にアップコンバートして無線信号を生成し、アンテナ１０９を介して、端末に送信する。また、無線部１０３は、端末から受信した無線信号を、アンテナ１０９を介して受信し、ベースバンド信号にダウンコンバートして、受信データをチャネル推定部１０５と受信データ復調部１０６とに出力する。
【００２３】
スケジューリング部１０４は、論理チャネルとトランスポートチャネルのマッピング、下りリンクおよび上りリンクのスケジューリングなどを行なう。スケジューリング部１０４は、各物理層の処理部を統合して制御するため、スケジューリング部１０４と、アンテナ１０９、無線部１０３、チャネル推定部１０５、受信データ復調部１０６、データ制御部１０１、送信データ変調部１０２およびデータ抽出部１０７との間のインターフェースが存在する。
【００２４】
また、スケジューリング部１０４は、下りリンクのスケジューリングでは、端末から受信した上りリンク制御情報や上位層１０８から入力されたスケジューリング情報などに基づいて、トランスポートチャネルおよび物理チャネルにおける送信制御やスケジューリング情報の生成を行なう。これら下りリンクのスケジューリングに使用されるスケジューリング情報は、データ制御部１０１へ出力される。
【００２５】
また、スケジューリング部１０４は、上りリンクのスケジューリングでは、チャネル推定部１０５が出力する上りリンクのチャネル状態や上位層１０８から入力されたスケジューリング情報などに基づいて、スケジューリング情報の生成を行なう。これら上りリンクのスケジューリングに使用されるスケジューリング情報は、データ制御部１０１へ出力される。
【００２６】
また、スケジューリング部１０４は、上位層１０８から入力された下りリンクの論理チャネルをトランスポートチャネルにマッピングし、データ制御部１０１へ出力する。また、スケジューリング部１０４は、データ抽出部１０７から入力された上りリンクのトランスポートチャンネルと制御データを、必要に応じて処理した後に、上りリンクの論理チャネルにマッピングし、上位層１０８へ出力する。
【００２７】
チャネル推定部１０５は、上りリンクデータの復調のために、上りリンク参照信号（例えば、復調用参照信号）から上りリンクのチャネル状態を推定し、受信データ復調部１０６に出力する。また、上りリンクのスケジューリングを行なうために、上りリンク参照信号（例えば、サウンディング参照信号）から上りリンクのチャネル状態を推定し、スケジューリング部１０４に出力する。
【００２８】
受信データ復調部１０６は、受信データを復調する。受信データ復調部１０６は、チャネル推定部１０５から入力された上りリンクのチャネル状態の推定結果に基づいて、無線部１０３から入力された変調データに対し、ＤＦＴ変換、サブキャリアマッピング、ＩＦＦＴ変換などの信号処理を行なって、復調処理を施し、データ抽出部１０７に出力する。
【００２９】
データ抽出部１０７は、受信データ復調部１０６から入力された受信データに対して、正誤を確認するとともに、確認結果（例えば、ＡＣＫまたはＮＡＣＫ）をスケジューリング部１０４に出力する。また、データ抽出部１０７は、受信データ復調部１０６から入力されたデータからトランスポートチャネルと物理層の制御データとに分離して、スケジューリング部１０４に出力する。
【００３０】
上位層１０８は、無線リソース制御（ＲＲＣ；Ｒａｄｉｏ  Ｒｅｓｏｕｒｃｅ  Ｃｏｎｔｒｏｌ）層の処理やＭＡＣ（Ｍｅｄｉａｍ  Ａｃｃｅｓｓ  Ｃｏｎｔｒｏｌ）層の処理を行なう。上位層１０８は、下位層の処理部を統合して制御するため、上位層１０８と、スケジューリング部１０４、アンテナ１０９、無線部１０３、チャネル推定部１０５、受信データ復調部１０６、データ制御部１０１、送信データ変調部１０２およびデータ抽出部１０７との間のインターフェースが存在する。
【００３１】
図２は、本発明の実施形態に係る端末の構成を示す概略ブロック図である。端末は、データ制御部２０１と、送信データ変調部２０２と、無線部２０３と、スケジューリング部２０４と、チャネル推定部２０５と、受信データ復調部２０６と、データ抽出部２０７と、上位層２０８、アンテナ２０９と、を含んで構成される。また、データ制御部２０１、送信データ変調部２０２、無線部２０３、スケジューリング部２０４、上位層２０８、アンテナ２０９で送信部を構成する。また、無線部２０３、スケジューリング部２０４、チャネル推定部２０５、受信データ復調部２０６、データ抽出部２０７、上位層２０８、アンテナ２０９で受信部を構成する。ここで、端末を構成する各部を、ユニットとも呼称する。
【００３２】
データ制御部２０１は、スケジューリング部２０４からトランスポートチャネルを受信する。また、データ制御部２０１は、トランスポートチャネルと物理層で生成される信号を、スケジューリング部２０４から入力されるスケジューリング情報に基づいて、物理チャネルにマッピングする。マッピングされた各データは、送信データ変調部２０２へ出力される。
【００３３】
送信データ変調部２０２は、送信データを変調／符号化する。送信データ変調部２０２は、データ制御部２０１から入力されたデータに対して、変調／符号化、入力信号の直列／並列変換、ＩＦＦＴ処理、ＣＰ挿入などの信号処理を行ない、送信データを生成して、無線部２０３へ出力する。
【００３４】
無線部２０３は、送信データ変調部２０２から入力された送信データを無線周波数にアップコンバートして無線信号を生成し、アンテナ２０９を介して、基地局に送信する。また、無線部２０３は、基地局から受信した無線信号を、アンテナ２０９を介して受信し、ベースバンド信号にダウンコンバートして、受信データを、チャネル推定部２０５および受信データ復調部２０６に出力する。
【００３５】
スケジューリング部１０４は、論理チャネルとトランスポートチャネルのマッピング、下りリンクおよび上りリンクのスケジューリングなどを行なう。スケジューリング部２０４は、各物理層の処理部を統合して制御するため、スケジューリング部２０４と、アンテナ２０９、データ制御部２０１、送信データ変調部２０２、チャネル推定部２０５、受信データ復調部２０６、データ抽出部２０７および無線部２０３との間のインターフェースが存在する。
【００３６】
また、スケジューリング部２０４は、下りリンクのスケジューリングでは、基地局から受信した下りリンク制御情報や上位層２０８から入力されたスケジューリング情報などに基づいて、トランスポートチャネルおよび物理チャネルにおける受信制御やスケジューリング情報の生成を行なう。これら下りリンクのスケジューリングに使用されるスケジューリング情報は、データ制御部２０１へ出力される。
【００３７】
また、スケジューリング部２０４は、上りリンクのスケジューリングでは、基地局から受信した下りリンク制御情報や上位層２０８から入力されたスケジューリング情報などに基づいて、上位層２０８から入力された上りリンクの論理チャネルをトランスポートチャネルにマッピングするためのスケジューリング処理、および、上りリンクのスケジューリングに使用されるスケジューリング情報の生成を行なう。これらスケジューリング情報は、データ制御部２０１へ出力される。
【００３８】
また、スケジューリング部２０４は、上位層２０８から入力された上りリンクの論理チャネルをトランスポートチャネルにマッピングし、データ制御部２０１へ出力する。また、スケジューリング部２０４は、チャネル推定部２０５から入力されたチャネル状態情報や、データ抽出部２０７から入力されたＣＲＣ（Ｃｙｃｌｉｃ  Ｒｅｄｕｎｄａｎｃｙ  Ｃｈｅｃｋ；巡回冗長検査）パリティビット（単に、ＣＲＣとも呼称される）の確認結果についても、データ制御部２０１へ出力する。
【００３９】
また、スケジューリング部２０４は、上りリンク信号に関するパラメータを決定し、決定したパラメータを使用して、上りリンク信号の生成を行う。また、スケジューリング部２０４は、参照信号に関するパラメータを決定し、決定したパラメータを使用して参照信号の生成を行う。
【００４０】
チャネル推定部２０５は、下りリンクデータの復調のために、下りリンク参照信号（例えば、復調用参照信号）から下りリンクのチャネル状態を推定し、受信データ復調部２０６に出力する。また、受信データ復調部２０６は、無線部２０３から入力された受信データを復調し、データ抽出部２０７に出力する。
【００４１】
データ抽出部２０７は、受信データ復調部２０６から入力された受信データに対して、正誤を確認するとともに、確認結果（例えば、ＡＣＫまたはＮＡＣＫ）をスケジューリング部２０４に出力する。また、データ抽出部２０７は、受信データ復調部２０６から入力された受信データからトランスポートチャネルと物理層の制御データに分離して、スケジューリング部２０４に出力する。
【００４２】
上位層２０８は、無線リソース制御層の処理やＭＡＣ層の処理を行なう。上位層２０８は、下位層の処理部を統合して制御するため、上位層２０８と、スケジューリング部２０４、アンテナ２０９、データ制御部２０１、送信データ変調部２０２、チャネル推定部２０５、受信データ復調部２０６、データ抽出部２０７および無線部２０３との間のインターフェースが存在する。
【００４３】
図３は、本発明の実施形態に係る通信の例を示す概略図である。図３において、端末３０３は、プライマリー基地局３０１および／またはセカンダリー基地局３０２と通信を行う。また、端末３０４は、プライマリー基地局３０１および／またはセカンダリー基地局３０２と通信を行う。
【００４４】
図３において、端末は、基地局に対して上りリンク信号を送信する場合、基地局と端末との間において既知の信号である復調用参照信号（ＤＭＲＳ；Ｄｅｍｏｄｕｌａｔｉｏｎ  Ｒｅｆｅｒｅｎｃｅ  Ｓｉｇｎａｌ）を多重して送信する。ここで、上りリンク信号には、上りリンクデータ（上りリンク共用チャネル（ＵＬ−ＳＣＨ；Ｕｐｌｉｎｋ  Ｓｈａｒｅｄ  Ｃｈａｎｎｅｌ）、上りリンクトランスポートブロック）が含まれる。また、上りリンク信号には、上りリンク制御情報（ＵＣＩ；Ｕｐｌｉｎｋ  Ｃｏｎｔｒｏｌ  Ｉｎｆｏｒｍａｔｉｏｎ）が含まれる。ここで、ＵＬ−ＳＣＨは、トランスポートチャネルである。
【００４５】
例えば、上りリンクデータは、物理上りリンク共用チャネル（ＰＵＳＣＨ；Ｐｈｙｓｉｃａｌ  Ｕｐｌｉｎｋ  Ｓｈａｒｅｄ  Ｃｈａｎｎｅｌ）にマップされる。また、上りリンク制御情報は、ＰＵＳＣＨまたは物理上りリンク制御チャネル（ＰＵＣＣＨ；Ｐｈｙｓｉｃａｌ  Ｕｐｌｉｎｋ  Ｃｏｎｔｒｏｌ  Ｃｈａｎｎｅｌ）にマップされる。すなわち、無線通信システムにおいて、ＰＵＳＣＨの送信（ＰＵＳＣＨでの送信）に関連する復調用参照信号がサポートされる。また、無線通信システムにおいて、ＰＵＣＣＨの送信（ＰＵＣＣＨでの送信）に関連する復調用参照信号がサポートされる。
【００４６】
本実施形態では、ＰＵＳＣＨの送信に関連する復調用参照信号を、第１の参照信号とも記載する。また、ＰＵＣＣＨの送信に関連する復調用参照信号を、第２の参照信号とも記載する。また、第１の参照信号および第２の参照信号を、参照信号とも記載する。
【００４７】
すなわち、第１の参照信号は、ＰＵＳＣＨの復調に使用される。例えば、第１の参照信号は、対応するＰＵＳＣＨがマップされるリソースブロック（物理リソースブロック、物理リソース、リソースとも呼称される）で送信される。また、第２の参照信号は、ＰＵＣＣＨの復調に使用される。例えば、第２の参照信号は、対応するＰＵＣＣＨがマップされるリソースブロックで送信される。
【００４８】
すなわち、端末３０３は、プライマリー基地局３０１へ送信する上りリンク信号に参照信号を多重して、上りリンク３０５を通じて送信する。また、端末３０３は、セカンダリー基地局３０２へ送信する上りリンク信号に参照信号を多重して、上りリンク３０６を通じて送信する。また、端末３０４は、プライマリー基地局３０１へ送信する上りリンク信号に参照信号を多重して、上りリンク３０７を通じて送信する。また、端末３０４は、セカンダリー基地局３０２へ送信する上りリンク信号に参照信号を多重して、上りリンク３０８を通じて送信する。
【００４９】
ここで、端末３０３によって送信される上りリンク信号と、端末３０４によって送信される上りリンク信号が、同一の特性である場合、干渉が生じてしまう。また、端末３０３によって送信される参照信号と、端末３０４によって送信される参照信号が、同一の特性である場合、干渉が生じてしまう。例えば、複数の端末のそれぞれによって送信される参照信号において干渉が生じた場合、上りリンク信号を復調するために利用される伝送路状態の推定精度が大幅に劣化することになる。
【００５０】
そのため、端末３０３によって送信される参照信号と、端末３０４によって送信される参照信号を、直交化させることが望ましい。また、端末３０３によって送信される上りリンク信号と、端末３０４によって送信される上りリンク信号を、直交化させることが望ましい。また、端末３０３によって送信される参照信号と、端末３０４によって送信される参照信号の干渉を、ランダム化させることが望ましい。また、端末３０３によって送信される上りリンク信号と、端末３０４によって送信される上りリンク信号の干渉を、ランダム化させることが望ましい。
【００５１】
ここで、図３において、プライマリー基地局３０１およびセカンダリー基地局３０２に対して、異なるセルアイデンティティ（Ｃｅｌｌ  ＩＤとも呼称される）を設定することができる（Ｄｉｆｆｅｒｅｎｔ  ｃｅｌｌ  ＩＤとも呼称される）。また、プライマリー基地局１０１およびセカンダリー基地局１０２の全てまたは一部に対して、同一のセルセルアイデンティティを設定することができる（Ｓｈａｒｅｄ  ｃｅｌｌ  ＩＤ、Ｓａｍｅ  ｃｅｌｌ  ＩＤとも呼称される）。ここで、セルアイデンティティは、物理レイヤセルアイデンティティ（Ｐｈｙｓｉｃａｌ  ｌａｙｅｒ  ｃｅｌｌ  ｉｄｅｎｔｉｔｙ、物理レイヤセル識別子）とも呼称される。
【００５２】
また、図３において、下りリンクと上りリンクにおいて、複数のサービングセル（単に、セルとも呼称される）の集約がサポートされる（キャリアアグリゲーション、または、セルアグリゲーションと呼称される）。例えば、サービングセルそれぞれにおいて、１１０リソースブロックまでの送信帯域幅を使用することができる。ここで、キャリアアグリゲーションにおいて、１つのサービングセルは、プライマリセル（Ｐｃｅｌｌ；Ｐｒｉｍａｒｙ  ｃｅｌｌ）と定義される。また、キャリアアグリゲーションにおいて、プライマリセル以外のサービングセルは、セカンダリセル（Ｓｃｅｌｌ；Ｓｅｃｏｎｄａｒｙ  Ｃｅｌｌ）と定義される。
【００５３】
また、下りリンクにおいてサービングセルに対応するキャリアは、下りリンクコンポーネントキャリア（ＤＬＣＣ；Ｄｏｗｎｌｉｎｋ  Ｃｏｍｐｏｎｅｎｔ  Ｃａｒｒｉｅｒ）と定義される。また、下りリンクにおいてプライマリセルに対応するキャリアは、下りリンクプライマリコンポーネントキャリア（ＤＬＰＣＣ；Ｄｏｗｎｌｉｎｋ  Ｐｒｉｍａｒｙ  Ｃｏｍｐｏｎｅｎｔ  Ｃａｒｒｉｅｒ）と定義される。また、下りリンクにおいてセカンダリセルに対応するキャリアは、下りリンクセカンダリコンポーネントキャリア（ＤＬＳＣＣ；Ｄｏｗｎｌｉｎｋ  Ｓｅｃｏｎｄａｒｙ  Ｃｏｍｐｏｎｅｎｔ  Ｃａｒｒｉｅｒ）と定義される。
【００５４】
さらに、上りリンクにおいてサービングセルに対応するキャリアは、上りリンクコンポーネントキャリア（ＵＬＣＣ；Ｕｐｌｉｎｋ  Ｃｏｍｐｏｎｅｎｔ  Ｃａｒｒｉｅｒ）と定義される。また、上りリンクにおいてプライマリセルに対応するキャリアは、上りリンクプライマリコンポーネントキャリア（ＵＬＰＣＣ；Ｕｐｌｉｎｋ  Ｐｒｉｍａｒｙ  Ｃｏｍｐｏｎｅｎｔ  Ｃａｒｒｉｅｒ）と定義される。また、上りリンクにおいてセカンダリセルに対応するキャリアは、上りリンクセカンダリコンポーネントキャリア（ＵＬＳＣＣ；Ｕｐｌｉｎｋ  Ｓｅｃｏｎｄａｒｙ  Ｃｏｍｐｏｎｅｎｔ  Ｃａｒｒｉｅｒ）と定義される。
【００５５】
すなわち、キャリアアグリゲーションにおいて、広送信帯域幅をサポートするために複数のコンポーネントキャリアが集約される。ここで、例えば、プライマリー基地局１０１をプライマリセルと、セカンダリー基地局１０２をセカンダリセルとみなす（基地局が、端末へ設定する）こともできる（ＨｅｔＮｅｔ  ｄｅｐｌｏｙｍｅｎｔ  ｗｉｔｈ  ａ  ｃａｒｒｉｅｒ  ａｇｇｒｅｇａｔｉｏｎとも呼称される）。
【００５６】
図４は、下りリンク信号の例を示す図である。図４には、下りリンクデータ（下りリンク共用チャネル（ＤＬ−ＳＣＨ；Ｄｏｗｎｌｉｎｋ  Ｓｈａｒｅｄ  Ｃｈａｎｎｅｌ）、下りリンクトランスポートブロック）がマップされる物理下りリンク共用チャネル（ＰＤＳＣＨ；Ｐｈｙｓｉｃａｌ  Ｄｏｗｎｌｉｎｋ  Ｓｈａｒｅｄ  Ｃｈａｎｎｅｌ）のリソース領域が示されている。ここで、ＤＬ−ＳＣＨは、トランスポートチャネルである。
【００５７】
また、下りリンク制御情報（ＤＣＩ；Ｄｏｗｎｌｉｎｋ  Ｃｏｎｔｏｌ  Ｉｎｆｏｒｍａｔｉｏｎ）がマップされる物理下りリンク制御チャネル（ＰＤＣＣＨ；Ｐｈｙｓｉｃａｌ  Ｄｏｗｎｌｉｎｋ  Ｃｏｎｔｒｏｌ  ＣｈａｎｎｅｌＰＤＣＣＨ）のリソース領域が示されている。また、下りリンク制御情報がマップされるＥ−ＰＤＣＣＨ（Ｅｎｈａｎｃｅｄ−ＰＤＣＣＨ）のリソース領域が示されている。
【００５８】
例えば、ＰＤＣＣＨは、下りリンクのリソース領域における１番目から３番目までのＯＦＤＭシンボルにマップされる。また、Ｅ−ＰＤＣＣＨは、下りリンクのリソース領域における４番目から１２番目のＯＦＤＭシンボルにマップされる。また、Ｅ−ＰＤＣＣＨは、１サブフレームにおける第１スロットと第２スロットにマップされる。また、ＰＤＳＣＨとＥ−ＰＤＣＣＨは、ＦＤＭ（Ｆｒｅｑｕｅｎｃｙ  Ｄｉｖｉｓｉｏｎ  Ｍｕｌｔｉｐｌｅｘｉｎｇ）される。本実施形態において、Ｅ−ＰＤＣＣＨは、ＰＤＣＣＨに含まれる。
【００５９】
ここで、ＰＤＣＣＨは、下りリンク制御情報を端末へ通知（指定）するために使用される。また、ＰＤＣＣＨで送信される下りリンク制御情報に対して、複数のフォーマットが定義される。ここで、下りリンク制御情報のフォーマットは、ＤＣＩフォーマットとも呼称される。
【００６０】
例えば、下りリンクに対するＤＣＩフォーマットとして、１つのセルにおける１つのＰＤＳＣＨ（１つのＰＤＳＣＨのコードワード、１つの下りリンクトランスポートブロックの送信）のスケジューリングに使用されるＤＣＩフォーマット１およびＤＣＩフォーマット１Ａが定義される。また、下りリンクに対するＤＣＩフォーマットとして、１つのセルにおける１つのＰＤＳＣＨ（２つまでのＰＤＳＣＨのコードワード、２つまでの下りリンクトランスポートブロックの送信）のスケジューリングに使用されるＤＣＩフォーマット２が定義される。
【００６１】
例えば、下りリンクに対するＤＣＩフォーマットには、ＰＤＳＣＨのリソース割り当てに関する情報、ＭＣＳ（Ｍｏｄｕｌａｔｉｏｎ  ａｎｄ  Ｃｏｄｉｎｇ  ｓｃｈｅｍｅ）に関する情報などの下りリンク制御情報が含まれる。また、下りリンクに対するＤＣＩフォーマットには、基準系列インデックス（基準系列識別子とも呼称される）に関する情報が含まれても良い。また、下りリンクに対するＤＣＩフォーマットには、ＰＵＣＣＨに関連する基準系列インデックス（基準系列識別子とも呼称される）に関する情報が含まれても良い。以下、ＰＤＳＣＨのスケジューリングに使用されるＤＣＩフォーマットを、下りリンクアサインメントとも記載する。
【００６２】
また、例えば、上りリンクに対するＤＣＩフォーマットとして、１つのセルにおける１つのＰＵＳＣＨ（１つのＰＵＳＣＨのコードワード、１つの上りリンクトランスポートブロックの送信）のスケジューリングに使用されるＤＣＩフォーマット０が定義される。また、上りリンクに対するＤＣＩフォーマットとして、１つのセルにおける１つのＰＵＳＣＨ（２つまでのＰＵＳＣＨのコードワード、２つまでの上りリンクトランスポートブロックの送信）のスケジューリングに使用されるＤＣＩフォーマット４が定義される。すなわち、ＤＣＩフォーマット４は、複数のアンテナポートを使用したＰＵＳＣＨでの送信（送信モード）をスケジューリングするために使用される。
【００６３】
例えば、上りリンクに対するＤＣＩフォーマットには、ＰＵＳＣＨのリソース割り当てに関する情報、ＭＣＳ（Ｍｏｄｕｌａｔｉｏｎ  ａｎｄ  Ｃｏｄｉｎｇ  ｓｃｈｅｍｅ）に関する情報などの下りリンク制御情報が含まれる。また、上りリンクに対するＤＣＩフォーマットには、基準系列インデックスに関する情報が含まれても良い。また、上りリンクに対するＤＣＩフォーマットには、系列グループホッピングおよび／または系列ホッピングの有効または無効を指示するための情報が含まれても良い。以下、ＰＵＳＣＨのスケジューリングに使用されるＤＣＩフォーマットを、上りリンクグラントとも記載する。
【００６４】
また、ＰＤＳＣＨは、下りリンクデータの送信に使用される。さらに、ＰＤＳＣＨは、ランダムアクセスレスポンスグラントを端末へ通知（指定）するために使用される。ここで、ランダムアクセスレスポンスグラントは、ＰＵＳＣＨのスケジューリングに使用される。ここで、ランダムアクセスレスポンスグラントとは、上位層（例えば、ＭＡＣ層）によって物理層へ指示される。
【００６５】
例えば、基地局は、ランダムアクセスプロシージャにおけるメッセージ２として送信されるランダムアクセスレスポンスに、ランダムアクセスレスポンスグラントを含めて送信する。また、基地局は、ランダムアクセスプロシージャにおいて、端末によって送信されたメッセージ１に対応するランダムアクセスレスポンスグラントを送信する。また、基地局は、ランダムアクセスプロシージャにおけるメッセージ３の送信のためにランダムアクセスレスポンスグラントを送信する。すなわち、ランダムアクセスレスポンスグラントは、ランダムアクセスプロシージャにおいて、メッセージ３の送信のためのＰＵＳＣＨをスケジュールするために使用されることができる。
【００６６】
図４において、端末は、ＰＤＣＣＨ候補（ＰＤＣＣＨ  ｃａｎｄｉｄａｔｅｓ）のセットをモニタする。ここで、ＰＤＣＣＨ候補とは、基地局によって、ＰＤＣＣＨが配置および送信される可能性のある候補を示している。また、ＰＤＣＣＨ候補は、１つまたは複数の制御チャネル要素（ＣＣＥ；Ｃｏｎｔｒｏｌ  Ｃｈａｎｎｅｌ  Ｅｌｅｍｅｎｔ）から構成される。また、モニタとは、モニタされる全てのＤＣＩフォーマットに応じて、ＰＤＣＣＨ候補のセット内のＰＤＣＣＨそれぞれに対して、端末がデコードを試みるということを意味する。ここで、端末がモニタするＰＤＣＣＨ候補のセットは、サーチスペースとも呼称される。すなわち、サーチスペースとは、基地局によってＰＤＣＣＨの送信に用いられる可能性のあるリソースのセットである。
【００６７】
さらに、ＰＤＣＣＨのリソース領域には、コモンサーチスペース（ＣＳＳ；Ｃｏｍｍｏｎ  Ｓｅａｒｃｈ  Ｓｐａｃｅ、共通サーチスペース）とユーザー装置スペシフィックサーチスペース（ＵＳＳ；ＵＥ−Ｓｐｅｃｉｆｉｃ  Ｓｅａｃｈ  Ｓｐａｃｅ、端末固有（端末特有）のサーチスペース）が構成（定義、設定）される。
【００６８】
すなわち、図４において、ＰＤＣＣＨのリソース領域に、ＣＳＳおよび／またはＵＳＳが構成される。また、Ｅ−ＰＤＣＣＨのリソース領域に、ＣＳＳおよび／またはＵＳＳが構成される。端末は、ＰＤＣＣＨのリソース領域のＣＳＳおよび／またはＵＳＳにおいてＰＤＣＣＨをモニタし、自装置宛てのＰＤＣＣＨを検出する。また、端末は、Ｅ−ＰＤＣＣＨのリソース領域のＣＳＳおよび／またはＵＳＳにおいてＥ−ＰＤＣＣＨをモニタし、自装置宛てのＰＤＣＣＨを検出する。  
【００６９】
ここで、ＣＳＳは、複数の端末に対する下りリンク制御情報の送信に用いられる。すなわち、ＣＳＳは、複数の端末に対して共通のリソースによって定義される。例えば、ＣＳＳは、基地局と端末との間において予め定められた番号のＣＣＥから構成される。例えば、ＣＳＳは、インデックスが０から１５までのＣＣＥから構成される。ここで、ＣＳＳは、特定の端末に対する下りリンク制御情報の送信に用いられても良い。すなわち、基地局は、ＣＳＳにおいて、複数の端末を対象とするＤＣＩフォーマットおよび／または特定の端末を対象とするＤＣＩフォーマットを送信する。
【００７０】
また、ＵＳＳは、特定の端末に対する下りリンク制御情報の送信に用いられる。すなわち、ＵＳＳは、ある端末に対して専用のリソースによって定義される。すなわち、ＵＳＳは、端末のそれぞれに対して独立に定義される。例えば、ＵＳＳは、基地局によって割り当てられた無線ネットワーク一時識別子（ＲＮＴＩ；Ｒａｄｉｏ  Ｎｅｔｗｏｒｋ  Ｔｅｍｐｏｒａｒｙ  Ｉｎｄｅｎｔｉｆｅｒ）や、無線フレームにおけるスロット番号や、アグリゲーションレベルなどに基づいて決定された番号のＣＣＥから構成される。ここで、ＲＮＴＩには、Ｃ−ＲＮＴＩ（Ｃｅｌｌ  ＲＮＴＩ）やＴｅｍｐｏｒａｒｙ  Ｃ−ＲＮＴＩが含まれる。すなわち、基地局は、ＵＳＳにおいて、特定の端末を対象とするＤＣＩフォーマットを送信する。
【００７１】
ここで、下りリンク制御情報の送信（ＰＤＣＣＨでの送信）には、基地局が端末に割り当てたＲＮＴＩが利用される。具体的には、下りリンク制御情報（ＤＣＩフォーマットでも良い）に基づいて生成されたＣＲＣ（Ｃｙｃｌｉｃ  Ｒｅｄｕｎｄａｎｃｙ  Ｃｈｅｃｋ；巡回冗長検査パリティビット（単に、ＣＲＣとも呼称される）が下りリンク制御情報に付加され、付加された後に、ＣＲＣパリティビットがＲＮＴＩでスクランブルされる。
【００７２】
端末は、ＲＮＴＩでスクランブルされたＣＲＣパリティビットを伴う下りリンク制御情報に対してデコードを試み、ＣＲＣが成功したＰＤＣＣＨを、自装置宛のＰＤＣＣＨとして検出する（ブラインドデコーディングとも呼称される）。ここで、ＲＮＴＩには、Ｃ−ＲＮＴＩやＴｅｍｐｏｒａｒｙ  Ｃ−ＲＮＴＩが含まれる。すなわち、端末は、Ｃ−ＲＮＴＩによってスクランブルされたＣＲＣを伴うＰＤＣＣＨをデコードする。また、端末は、Ｔｅｍｐｏｒａｒｙ  Ｃ−ＲＮＴＩによってスクランブルされたＣＲＣを伴うＰＤＣＣＨをデコードする。
【００７３】
ここで、Ｃ−ＲＮＴＩとは、ＲＲＣ（Ｒａｄｉｏ  Ｒｅｓｏｕｒｃｅ  Ｃｏｎｔｒｏｌ、無線リソース制御）接続およびスケジューリングの識別に対して使用されるユニークな（一意的な）識別子である。例えば、Ｃ−ＲＮＴＩは、動的にスケジュールされるユニキャスト送信のために利用される。
【００７４】
また、Ｔｅｍｐｏｒａｒｙ  Ｃ−ＲＮＴＩは、ランダムアクセスプロシージャに対して使用される識別子である。ここで、基地局は、Ｔｅｍｐｏｒａｒｙ  Ｃ−ＲＮＴＩをランダムアクセスレスポンスに含めて送信する。例えば、Ｔｅｍｐｏｒａｒｙ  Ｃ−ＲＮＴＩは、ランダムアクセスプロシージャにおいて、ランダムアクセスプロシージャを行なっている端末を識別するために使用される。また、Ｔｅｍｐｏｒａｒｙ  Ｃ−ＲＮＴＩは、ランダムアクセスプロシージャにおけるメッセージ３の再送信のために利用される。すなわち、基地局は、端末がメッセージ３を再送信するために、Ｔｅｍｐｏｒａｒｙ  Ｃ−ＲＮＴＩによってスクランブルされたＣＲＣを伴うＰＤＣＣＨで下りリンク制御情報を送信する。すなわち、端末は、ＣＲＣが、いずれのＲＮＴＩでスクランブルされているかに基づいて、下りリンク制御情報の解釈を変更する。
【００７５】
ここで、例えば、端末は、基地局との時間領域における同期をとるために、ランダムアクセスプロシージャを実行する。また、端末は、初期コネクション確立（ｉｎｉｔｉａｌ  ｃｏｎｎｅｃｔｉｏｎ  ｅｓｔａｂｌｉｓｈｍｅｎｔ）のために、ランダムアクセスプロシージャを実行する。また、端末は、ハンドオーバーのために、ランダムアクセスプロシージャを実行する。また、端末は、コネクション再確立（ｃｏｎｎｅｃｔｉｏｎ  ｒｅ−ｅａｔａｂｌｉｓｈｍｅｎｔ）のために、ランダムアクセスプロシージャを実行する。また、端末は、ＵＬ−ＳＣＨのリソースを要求するために、ランダムアクセスプロシージャを実行する。
【００７６】
端末は、ＰＤＣＣＨで送信された下りリンク制御情報によってＰＤＳＣＨのリソースがスケジュールされた場合、スケジュールされたＰＤＳＣＨで下りリンクデータを受信する。また、端末は、ＰＤＣＣＨで送信された下りリンク制御情報によってＰＵＳＣＨのリソースがスケジュールされた場合、スケジュールされたＰＵＳＣＨで上りリンクデータおよび／または上りリンク制御情報を送信する。ここで、ＰＵＳＣＨで送信される上りリンクデータおよび／上りリンク制御情報には、第１の参照信号が多重される。
【００７７】
また、端末は、ＰＵＣＣＨで上りリンク制御情報を送信する。例えば、端末は、下りリンクデータに対するＡＣＫ／ＮＡＣＫを示す情報（ＨＡＲＱ；Ｈｙｂｉｒｉｄ  Ａｕｔｏｍａｔｉｃ  Ｒｅｐｅａｔ  ＲｅｑｕｅｓｔにおけるＡＣＫ／ＮＡＣＫとも呼称される）をＰＵＣＣＨで送信する。ここで、端末は、ＰＤＣＣＨの送信に使用された（下りリンクアサインメントの送信に使用された）最初のＣＣＥの番号（ＰＤＣＣＨを構成するために使用されたｌｏｗｅｓｔ  ＣＣＥ  ｉｎｄｅｘとも呼称される）に対応するＰＵＣＣＨのリソースを使用して、上りリンク制御情報を送信する。ここで、ＰＵＣＣＨで送信される上りリンク制御情報の送信には、第２の参照信号が多重される。
【００７８】
また、基地局と端末は、上位層（Ｈｉｇｈｅｒ  ｌａｙｅｒ）において信号を送受信する。例えば、基地局と端末は、ＲＲＣ層（レイヤ３）において、無線リソース制御信号（ＲＲＣシグナリング；Ｒａｄｉｏ  Ｒｅｓｏｕｒｃｅ  Ｃｏｎｔｒｏｌ  ｓｉｇｎａｌ、ＲＲＣメッセージ；Ｒａｄｉｏ  Ｒｅｓｏｕｒｃｅ  Ｃｏｎｔｒｏｌ  ｍｅｓｓａｇｅ、ＲＲＣ情報；Ｒａｄｉｏ  Ｒｅｓｏｕｒｃｅ  Ｃｏｎｔｒｏｌ  ｉｎｆｏｒｍａｔｉｏｎとも呼称される）を送受信する。ここで、ＲＲＣ層において、基地局によって、ある端末に対して送信される専用の信号は、ｄｅｄｉｃａｔｅｄ  ｓｉｇｎａｌ（専用の信号）とも呼称される。すなわち、ある端末に対して固有な（特有な）設定（情報）は、基地局によって、ｄｅｄｉｃａｔｅｄ  ｓｉｇｎａｌを使用して通知される。
【００７９】
また、基地局と端末は、ＭＡＣ（Ｍｅｄｉａｍ  Ａｃｃｅｓｓ  Ｃｏｎｔｒｏｌ）層（レイヤ２）において、ＭＡＣコントロールエレメントを送受信する。ここで、ＲＲＣシグナリングおよび／またはＭＡＣコントロールエレメントは、上位層の信号（ｈｉｇｈｅｒ  ｌａｙｅｒ  ｓｉｇｎａｌｉｎｇ）とも呼称される。
【００８０】
以下に、参照信号系列ｒ(α)u,νの生成方法の例を記載する。ここで、参照信号系列は、第１の参照信号の系列の生成に使用される。また、参照信号系列は、第２の参照信号の系列の生成に使用される。例えば、参照信号系列は、基準系列ｒ￣(α)u,ν(ｎ)のサイクリックシフトによって、数式１に従って定義される。
【数式１】
【００８１】
2014039297.tif 000003
【００８２】
すなわち、基準系列に対してサイクリックシフトαが適用され、参照信号系列が生成される。また、異なるサイクリックシフトαの値によって、単一の基準系列から複数の参照信号系列が定義される。ここで、ＭＳＣＲＳは参照信号系列の長さであり、例えば、ＭＳＣＲＳ＝ｍＮＳＣＲＢによって表される。また、ＮＳＣＲＢは、周波数領域におけるリソースブロックのサイズであり、例えば、サブキャリアの数によって表される。
【００８３】
また、基準系列は、グループに分割される。すなわち、基準系列は、グループ番号（系列グループ番号とも呼称される）ｕと、グループ内の基準系列番号νによって表される。例えば、基準系列は、３０のグループに分割され、それぞれのグループには、２つの基準系列が含まれる。また、３０のグループに対して、系列グループホッピングが適用される。また、１つのグループ内の２つの基準系列に対して、系列ホッピングが適用される。
【００８４】
ここで、系列グループ番号ｕと基準系列番号νのそれぞれは、時間において変化することができる。また、基準系列の定義は、系列の長さＭＳＣＲＳに依存し、例えば、ＭＳＣＲＳ≧３ＮＳＣＲＢの場合には、数式２によって与えられる。
【数式２】
【００８５】
2014039297.tif 000004
【００８６】
ここで、ｑ番目のルートＺａｄｏｆｆ−Ｃｈｕ系列ｘｑ（ｍ）は、数式３によって定義される。
【数式３】
【００８７】
2014039297.tif 000005
【００８８】
ここで、ｑは数式４によって与えられる。
【数式４】
【００８９】
2014039297.tif 000006
【００９０】
ここで、Ｚａｄｏｆｆ−Ｃｈｕ系列の長さＮＺＣＲＳは、ＮＺＣＲＳ＜ＭＳＣＲＳを満たす最大の素数によって与えられる。
【００９１】
また、スロットｎｓにおける系列グループ番号ｕは、グループホッピングパターンｆｇｈ（ｎｓ）と系列シフトパターンｆｓｓによって、数式５に従って定義される。
【数式５】
【００９２】
2014039297.tif 000007
【００９３】
ここで、基地局は、系列グループホッピング（単に、グループホッピングとも呼称される）の有効または無効を端末に指示することができる。後述するように、例えば、基地局は、条件がＡの場合には、セル固有（セルスペシフィック；Ｃｅｌｌ−ｓｐｅｃｉｆｉｃ）のパラメータに基づいて、系列グループホッピングの有効または無効を指示することができる。また、基地局は、条件がＢの場合には、端末固有（ユーザー装置スペシフィック；ＵＥ−ｓｐｅｃｉｆｉｃ）のパラメータに基づいて、系列グループホッピングの有効または無効を指示することができる。ここで、条件Ａおよび条件Ｂの詳細は後述する。
【００９４】
例えば、端末は、基地局によって系列グループホッピングを有効にするように指示された場合には、参照信号系列のグループをスロット毎にホッピングする。すなわち、端末は、系列グループホッピングの有効または無効に応じて、参照信号系列のグループをスロット毎にホッピングさせるかどうかを決定する。
【００９５】
ここで、例えば、グループホッピングパターンｆｇｈ（ｎｓ）は、ＰＵＳＣＨとＰＵＣＣＨで同じであり、数式６によって与えられる。
【数式６】
【００９６】
2014039297.tif 000008
【００９７】
ここで、擬似ランダム系列ｃ（ｉ）は、数式７によって定義される。例えば、擬似ランダム系列は、長さ３１のゴールド系列によって定義され、数式７によって与えられる。
【数式７】
【００９８】
2014039297.tif 000009
【００９９】
ここで、例えば、Ｎｃ＝１６００である。また、第１のｍ系列ｘ１は、ｘ１（０）＝１、ｘ１（ｎ）＝０、ｎ＝１、２、…、３０によって初期化される。また、第２のｍ系列ｘ２は、数式８によって初期化される。
【数式８】
【０１００】
2014039297.tif 000010
【０１０１】
ここで、ｃinitは、数式９で定義される。すなわち、グループホッピングパターンｆｇｈ（ｎｓ）の擬似ランダム系列は、数式９によって初期化される。
【数式９】
【０１０２】
2014039297.tif 000011
【０１０３】
ここで、物理レイヤセルアイデンティティＮＩＤｃｅｌｌおよびパラメータ“Ｘ”の詳細は後述する。 
【０１０４】
また、系列シフトパターンｆｓｓの定義は、ＰＵＳＣＨとＰＵＣＣＨで異なる。例えば、ＰＵＣＣＨに対して、系列シフトパターンｆｓｓＰＵＣＣＨは、数式１０で与えられる。また、ＰＵＳＣＨに対して、系列シフトパターンｆｓｓＰＵＳＣＨは、数式１１で与えられる。
【数式１０】
【０１０５】
2014039297.tif 000012
【数式１１】
【０１０６】
2014039297.tif 000013
【０１０７】
ここで、物理レイヤセルアイデンティティＮＩＤｃｅｌｌおよびパラメータ“Ｘ”の詳細は後述する。また、パラメータΔｓｓおよびパラメータ“Ｙ”の詳細は後述する。
【０１０８】
また、スロットｎｓにおける基準系列グループ内の基準系列番号νは、数式１２によって定義される。ここで、系列ホッピングは、参照信号の長さが６ＮＳＣＲＢ以上に対してのみ適用されても良い。すなわち、参照信号の長さが６ＮＳＣＲＢ未満に対して、基準系列番号νは、ν＝０によって与えられる。
【数式１２】
【０１０９】
2014039297.tif 000014
【０１１０】
ここで、基地局は、系列ホッピングの有効または無効を端末に指示することができる。後述するように、例えば、基地局は、条件がＡの場合には、セル固有のパラメータに基づいて、系列ホッピングの有効または無効を指示することができる。また、基地局は、条件がＢの場合には、端末固有のパラメータに基づいて、系列ホッピングの有効または無効を指示することができる。ここで、条件Ａおよび条件Ｂの詳細は後述する。
【０１１１】
例えば、端末は、基地局によって系列ホッピングを有効にするように指示された場合には、グループ内において、系列をスロット毎にホッピングする。すなわち、端末は、系列ホッピングの有効または無効に応じて、グループ内において、系列をスロット毎にホッピングするかどうかを決定する。
【０１１２】
ここで、擬似ランダム系列ｃ（ｉ）は、数式７および数式８によって定義される。また、ｃinitは、数式１３で定義される。すなわち、基準系列番号νの擬似ランダム系列は、数式１３によって初期化される。
【数式１３】
【０１１３】
2014039297.tif 000015
【０１１４】
ここで、物理セルアイデンティティＮＩＤｃｅｌｌおよびパラメータ“Ｘ”の詳細は後述する。
【０１１５】
以下に、第１の参照信号の系列の生成方法の例を記載する。すなわち、ＰＵＳＣＨに対する復調用参照信号の生成方法を記載する。例えば、レイヤλ∈{０、１、…、υ−１}に関連するＰＵＳＣＨの復調用参照信号系列γ(λ)ＰＵＳＣＨ（・)は、数式１４によって定義される。
【数式１４】
【０１１６】
2014039297.tif 000016
【０１１７】
ここで、υは、送信レイヤ数を示している。また、例えば、ｍ＝０または１によって示される。また、ｎ＝０、…、ＭＳＣＲＳ−１によって示される。また、ＭＳＣＲＳ＝ＭＳＣＰＵＳＣＨである。ここで、ＭＳＣＰＵＳＣＨは、上りリンクの送信（ＰＵＳＣＨでの送信）に対して、基地局によってスケジュールされた帯域幅であり、例えば、サブキャリアの数によって表される。さらに、ｗ(λ)(ｍ)は、オーソゴナルシーケンスを示している。
【０１１８】
また、スロットｎｓにおけるサイクリックシフトαλは、αλ＝２πｎｃｓ、λによって与えられる。ここで、ｎｃｓ、λは、数式１５によって表される。すなわち、ＰＵＳＣＨに関連する第１の参照信号に適用されるサイクリックシフトは、数式１５によって定義される。
【数式１５】
【０１１９】
2014039297.tif 000017
【０１２０】
ここで、ｎ(１)ＤＭＲＳは、基地局装置によって上位層の信号を使用して通知される。また、ｎ(２)ＤＭＲＳ、λは、基地局装置によってＤＣＩフォーマットを使用して指示される。また、数量ｎＰＮ（ｎｓ）は、数式１６によって与えられる。
【数式１６】
【０１２１】
2014039297.tif 000018
【０１２２】
ここで、擬似ランダム系列ｃ（ｉ）は、数式７および数式８によって定義される。また、ｃinitは、数式１７で定義される。すなわち、ＰＵＳＣＨに関連する第１の参照信号に適用されるサイクリックシフトは、数式１７によって初期化される。
【数式１７】
【０１２３】
2014039297.tif 000019
【０１２４】
ここで、物理レイヤセルアイデンティティＮＩＤｃｅｌｌおよびパラメータ“Ｚ”の詳細は後述する。
【０１２５】
以下に、第２の参照信号の系列の生成方法の例を記載する。すなわち、ＰＵＣＣＨに対する復調用参照信号の生成方法を記載する。例えば、ＰＵＣＣＨの復調用参照信号系列γ(Ｐ)ＰＵＣＣＨ（・)は、数式１８によって定義される。
【数式１８】
【０１２６】
2014039297.tif 000020
【０１２７】
ここで、例えば、ｍ＝０、…、ＭＲＳＰＵＣＣＨ−１によって示される。また、ｎ＝０、…、ＭＲＳ−１によって示される。また、ｍ’＝０または１によって示される。ここで、ｐは、ＰＵＣＣＨの送信（ＰＵＣＣＨでの送信）に対して使用されるアンテナポートの数である。また、系列γ(αｐ) u,v(ｎ)は、数式１によって与えられ、例えば、ＭＳＣＲＳ＝１２である。
【０１２８】
ここで、サイクリックシフトαＰ（ｎｓ、ｌ）は、数式１９によって与えられる。すなわち、ＰＵＣＣＨに関連する第２の参照信号に適用されるサイクリックシフトは、数式１９によって定義される。
【数式１９】
【０１２９】
2014039297.tif 000021
【０１３０】
ここで、ｎ’Ｐ（ｎｓ）およびＮ’およびΔｓｈｉｆｔＰＵＣＣＨは、基地局によって通知される情報などに基づいて決定される。また、スロットＭＲＳＰＵＣＣＨ辺りの参照シンボルの数と系列ｗ（ｎ）は、仕様などによって定義される。
【０１３１】
また、サイクリックシフトｎｃｓｃｅｌｌ（ｎｓ、ｌ）は、数式２０によって定義される。
【数式２０】
【０１３２】
2014039297.tif 000022
【０１３３】
ここで、ＮｓｙｍｂＵＬは、上りリンクスロットにおけるシンボルの数（ＳＣ−ＦＤＭＡシンボルの数）である。また、擬似ランダム系列ｃ（ｉ）は、数式７および数式８によって定義される。また、ｃinitは、数式２１または数式２２で定義される。すなわち、ＰＵＣＣＨに関連する第２の参照信号に適用されるサイクリックシフトは、数式２１または数式２２によって初期化される。
【数式２１】
【０１３４】
2014039297.tif 000023
【数式２２】
【０１３５】
2014039297.tif 000024
【０１３６】
ここで、物理レイヤセルアイデンティティＮＩＤｃｅｌｌおよびパラメータ“Ｘ”の詳細は後述する。また、パラメータ“Ｋ”の詳細は後述する。ここで、ｃinitを、数式２１で定義することによって、第１の参照信号の生成と第２の参照信号の生成に対して、同一のパラメータ“Ｘ”を使用することができる。すなわち、第１の参照信号の生成に使用されるパラメータ“Ｘ”を、第２の参照信号の生成にも使用することが可能となり、無線リソースを効率的に使用したパラメータの設定を行うことができる。
【０１３７】
ここで、ＰＵＣＣＨに適用されるサイクリックシフトは、数式２０を使用して生成される。また、ｃinitは、数式２１または数式２２で定義される。すなわち、端末は、数式２０および数式２１を使用して生成した上りリンク信号をＰＵＣＣＨで送信することができる。または、端末は、数式２０および数式２２を使用して生成した上りリンク信号をＰＵＣＣＨで送信することができる。
【０１３８】
ここで、上述の数式において、ＮＩＤｃｅｌｌは、物理レイヤセルアイデンティティ（Ｐｈｙｓｉｃａｌ  ｌａｙｅｒ  ｃｅｌｌ  ｉｄｅｎｔｉｔｙ、物理レイヤセル識別子とも呼称される）を示している。すなわち、ＮＩＤｃｅｌｌは、セル（基地局）固有（セル（基地局）特有）なアイデンティティを示している。すなわち、ＮＩＤｃｅｌｌは、セルの物理レイヤアイデンティティを示している。例えば、ＮＩＤｃｅｌｌは、プライマリセルに対応するＮＩＤｃｅｌｌであっても良い。
【０１３９】
例えば、端末は、ＮＩＤｃｅｌｌを、同期信号（Ｓｙｎｃｈｒｏｎｉｚａｔｉｏｎ  ｓｉｇｎａｌｓ）を用いて検出することができる。また、端末は、基地局によって送信される上位層の信号（例えば、バンドオーバーコマンド）に含まれる情報から、ＮＩＤｃｅｌｌを取得することができる。
【０１４０】
すなわち、ＮＩＤｃｅｌｌは、参照信号系列に関するパラメータ（参照信号系列の生成に関するパラメータ）である。すなわち、ＮＩＤｃｅｌｌは、第１の参照信号に関するパラメータ（第１の参照信号の系列の生成に関するパラメータ）である。また、ＮＩＤｃｅｌｌは、第２の参照信号に関するパラメータ（第２の参照信号の系列の生成に関するパラメータ）である。また、ＮＩＤｃｅｌｌは、ＰＵＣＣＨに関するパラメータ（ＰＵＣＣＨで送信される上りリンク信号の生成に関するパラメータ）である。    
【０１４１】
また、上述の数式において、例えば、パラメータΔｓｓは、Δｓｓ∈｛０、１、…、２９｝によって示される。ここで、パラメータΔｓｓは、セル（基地局）固有なパラメータである。例えば、端末は、パラメータΔｓｓを、ＳＩＢ２（Ｓｙｓｔｅｍ  Ｉｎｆｏａｍｔｉｏｎ  Ｂｌｏｃｋ  Ｔｙｐｅ２）を使用して受信することができる。ここで、ＳＩＢ２は、セル内の全ての端末（複数の端末でも良い）に対して共通の設定（共通の情報）である。
【０１４２】
すなわち、端末は、セル内の全ての端末に対して共通の情報を使用して、パラメータΔｓｓを指定される。すなわち、パラメータΔｓｓは、第１の参照信号に関するパラメータである。
【０１４３】
また、上述の数式において、パラメータ“Ｘ”（パラメータ“Ｘ”の値）は、仮想セルアイデンティティ（Ｖｉｒｔｕａｌ  ｃｅｌｌ  ｉｄｅｎｔｉｔｙ、仮想セル識別子とも呼称される）を示している。すなわち、パラメータ“Ｘ”は、端末固有なアイデンティティを示している。すなわち、パラメータ“Ｘ”は、端末固有なパラメータを示している。
【０１４４】
すなわち、パラメータ“Ｘ”は、参照信号系列に関するパラメータである。すなわち、パラメータ“Ｘ”は、第１の参照信号に関するパラメータである。また、パラメータ“Ｘ”は、第２の参照信号に関するパラメータである。また、パラメータ“Ｘ”は、ＰＵＣＣＨに関するパラメータである。    
【０１４５】
また、上述の数式において、例えば、パラメータ“Ｙ”（パラメータ“Ｙ”の値）は、“Ｙ”∈｛０、１、…、２９｝によって示される。ここで、パラメータ“Ｙ”は、端末固有なパラメータを示している。すなわち、パラメータ“Ｙ”は、第１の参照信号に関するパラメータである。
【０１４６】
また、上述の数式において、パラメータ“Ｚ”（パラメータ“Ｚ”の値）は、第２のｍ系列の初期値を示している。ここで、パラメータ“Ｚ”は、端末固有なパラメータを示している。すなわち、パラメータ“Ｚ”は、第１の参照信号に関するパラメータである。
【０１４７】
また、上述の数式において、パラメータ“Ｋ”（パラメータ“Ｋ”の値）は、第２のｍ系列の初期値を示している。ここで、パラメータ“Ｋ”は、端末固有なパラメータを示している。すなわち、パラメータ“Ｋ”は、ＰＵＣＣＨに関するパラメータである。
【０１４８】
また、上述の数式において、パラメータ“Ｍ”（パラメータ“Ｍ”の値）は、系列グループホッピングおよび／または系列ホッピングの有効または無効を指示するために使用される。例えば、系列グループホッピングおよび／または系列ホッピングが有効の場合には、パラメータ“Ｍ”は“１”にセットされる。また、系列グループホッピングおよび／または系列ホッピングが無効の場合には、パラメータ“Ｍ”は“０”にセットされる。ここで、パラメータ“Ｍ”は、端末固有なパラメータを示している。
【０１４９】
すなわち、パラメータ“Ｍ”は、参照信号系列に関するパラメータである。すなわち、パラメータ“Ｍ”は、第１の参照信号に関するパラメータである。また、パラメータ“Ｍ”は、第２の参照信号に関するパラメータである。
【０１５０】
ここで、基地局は、上位層の信号を使用してパラメータ“Ｘ”を端末に設定することができる。例えば、基地局は、ｄｅｄｉｃａｔｅｄ  ｓｉｇｎａｌを使用してパラメータ“Ｘ”を設定することができる。また、基地局は、複数のパラメータ“Ｘ”をｄｅｄｉｃａｔｅｄ  ｓｉｇｎａｌを使用して設定し、設定した複数のパラメータ“Ｘ”の中から１つのパラメータ“Ｘ”を、ＰＤＣＣＨで送信される下りリンク制御情報（例えば、基準系列インデックスに関する情報、または、ＰＵＣＣＨに関連する基準系列インデックス）を使用して指示しても良い。
【０１５１】
すなわち、パラメータ“Ｘ”を指示するための下りリンク制御情報が、上りリンクグラントに含まれる。また、パラメータ“Ｘ”を指示するための下りリンク制御情報が、下りリンクアサインメントに含まれても良い。
【０１５２】
例えば、基地局は、複数のパラメータ“Ｘ”として（Ｘ０）と（Ｘ１）を設定し、ＰＤＣＣＨで送信される下りリンク制御情報（例えば、１ビットの情報）を使用して、（Ｘ０）または（Ｘ１）を指示することができる。
【０１５３】
また、基地局は、上位層の信号を使用してパラメータ“Ｙ”を端末に設定することができる。例えば、基地局は、ｄｅｄｉｃａｔｅｄ  ｓｉｇｎａｌを使用してパラメータ“Ｙ”を設定することができる。また、基地局は、複数のパラメータ“Ｙ”をｄｅｄｉｃａｔｅｄ  ｓｉｇｎａｌを使用して設定し、設定した複数のパラメータ“Ｙ”の中から１つのパラメータ“Ｙ”を、ＰＤＣＣＨで送信される下りリンク制御情報（例えば、基準系列インデックスに関する情報）を使用して指示しても良い。すなわち、パラメータ“Ｙ”を指示するための下りリンク制御情報が、上りリンクグラントに含まれる。
【０１５４】
例えば、基地局は、複数のパラメータ“Ｙ”として（Ｙ０）と（Ｙ１）を設定し、ＰＤＣＣＨで送信される下りリンク制御情報（例えば、１ビットの情報）を使用して、（Ｙ０）または（Ｙ１）を指示することができる。
【０１５５】
また、基地局は、上位層の信号を使用してパラメータ“Ｚ”を端末に設定することができる。例えば、基地局は、ｄｅｄｉｃａｔｅｄ  ｓｉｇｎａｌを使用してパラメータ“Ｚ”を設定することができる。また、基地局は、複数のパラメータ“Ｚ”をｄｅｄｉｃａｔｅｄ  ｓｉｇｎａｌを使用して設定し、設定した複数のパラメータ“Ｚ”の中から１つのパラメータ“Ｚ”を、ＰＤＣＣＨで送信される下りリンク制御情報（例えば、基準系列インデックスに関する情報）を使用して指示しても良い。すなわち、パラメータ“Ｚ”を指示するための下りリンク制御情報が、上りリンクグラントに含まれる。
【０１５６】
例えば、基地局は、複数のパラメータ“Ｚ”として（Ｚ０）と（Ｚ１）を設定し、ＰＤＣＣＨで送信される下りリンク制御情報（例えば、１ビットの情報）を使用して、（Ｚ０）または（Ｚ１）を指示することができる。
【０１５７】
また、基地局は、上位層の信号を使用してパラメータ“Ｋ”を端末に設定することができる。例えば、基地局は、ｄｅｄｉｃａｔｅｄ  ｓｉｇｎａｌを使用してパラメータ“Ｋ”を設定することができる。また、基地局は、複数のパラメータ“Ｋ”をｄｅｄｉｃａｔｅｄ  ｓｉｇｎａｌを使用して設定し、設定した複数のパラメータ“Ｋ”の中から１つのパラメータ“Ｋ”を、ＰＤＣＣＨで送信される下りリンク制御情報（例えば、ＰＵＣＣＨに関連する基準系列インデックスに関する情報）を使用して指示しても良い。すなわち、パラメータ“Ｋ”を指示するための下りリンク制御情報が、下りリンクアサインメントに含まれる。
【０１５８】
例えば、基地局は、複数のパラメータ“Ｋ”として（Ｋ０）と（Ｋ１）を設定し、ＰＤＣＣＨで送信される下りリンク制御情報（例えば、１ビットの情報）を使用して、（Ｋ０）または（Ｋ１）を指示することができる。
【０１５９】
また、基地局は、上位層の信号を使用してパラメータ“Ｍ”を端末に設定することができる。例えば、基地局は、ｄｅｄｉｃａｔｅｄ  ｓｉｇｎａｌを使用してパラメータ“Ｍ”を設定することができる。また、基地局は、複数のパラメータ“Ｍ”をｄｅｄｉｃａｔｅｄ  ｓｉｇｎａｌを使用して設定し、設定した複数のパラメータ“Ｍ”の中から１つのパラメータ“Ｍ”を、ＰＤＣＣＨで送信される下りリンク制御情報（例えば、系列グループホッピングおよび／または系列ホッピングの有効または無効を指示するための情報）を使用して指示しても良い。すなわち、パラメータ“Ｍ”を指示するための下りリンク制御情報が、上りリンクグラントに含まれる。
【０１６０】
例えば、基地局は、複数のパラメータ“Ｍ”として（Ｍ０）と（Ｍ１）を設定し、ＰＤＣＣＨで送信される下りリンク制御情報（例えば、１ビットの情報）を使用して、（Ｍ０）または（Ｍ１）を指示することができる。
【０１６１】
さらに、基地局は、複数のセットのパラメータ“Ｘ”および／またはパラメータ“Ｙ”および／またはパラメータ“Ｚ”および／またはパラメータ“Ｋ”および／またはパラメータ“Ｍ”を、ｄｅｄｉｃａｔｅｄ  ｓｉｇｎａｌを使用して設定し、設定した複数の該セットの中から１つのセットをＰＤＣＣＨで送信される下りリンク制御情報（例えば、基準系列インデックスに関する情報や、ＰＵＣＣＨに関連する基準系列インデックスに関する情報や、系列グループホッピングおよび／または系列ホッピングの有効または無効を指示するための情報）を使用して指示しても良い。
【０１６２】
すなわち、複数のセットの中から１つのセットを指示するための下りリンク制御情報が、上りリンクグラントに含まれる。また、複数のセットの中から１つのセットを指示するための下りリンク制御情報が、下りリンクアサインメントに含まれても良い。
【０１６３】
ここで、パラメータ“Ｘ”およびパラメータ“Ｙ”およびパラメータ“Ｚ”およびパラメータ“Ｋ”およびパラメータ“Ｍ”は、それぞれ独立して設定されても良い。また、パラメータ“Ｘ”および／またはパラメータ“Ｙ”および／またはパラメータ“Ｚ”および／またはパラメータ“Ｋ”は、それぞれ関連付けられて設定されても良い。例えば、基地局は、パラメータ“Ｘ”のみを端末へ通知することによって、パラメータ“Ｘ”に関連付けられたパラメータ“Ｙ”および／またはパラメータ“Ｚ”および／またはパラメータ“Ｋ”および／またはパラメータ“Ｍ”を指示することができる。
【０１６４】
ここで、例えば、パラメータ“Ｘ”と、パラメータ“Ｙ”および／またはパラメータ“Ｚ”および／またはパラメータ“Ｋ”および／またはパラメータ“Ｍ”の関連付けは、予め仕様などによって定義され、基地局と端末において既知の情報としておくことができる。
【０１６５】
以下、説明を容易にするために、パラメータのセットとして、パラメータ“Ｘ”およびパラメータ“Ｙ”およびパラメータ“Ｚ”およびパラメータ“Ｋ”が含まれる場合を記載するが、パラメータ“Ｘ”および／またはパラメータ“Ｙ”および／またはパラメータ“Ｚ”および／またはパラメータ“Ｋ”が含まれる場合にも同様の実施形態が適用できる。
【０１６６】
例えば、基地局は、複数のセットのパラメータとして（Ｘ０、Ｙ０、Ｚ０、Ｋ０）と（Ｘ１、Ｙ１、Ｚ１、Ｋ１）を設定し、ＰＤＣＣＨで送信される下りリンク制御情報（例えば、１ビットの情報）を使用して、（Ｘ０、Ｙ０、Ｚ０、Ｋ０）または（Ｘ１、Ｙ１、Ｚ１、Ｋ１）を指示することができる。
【０１６７】
端末は、ＰＤＣＣＨで送信される下りリンク制御情報によって、パラメータ（Ｘ０、Ｙ０、Ｚ０、Ｋ０）が指示された場合には、パラメータ（Ｘ０、Ｙ０、Ｚ０、Ｋ０）を使用して、第１の参照信号を生成する。また、端末は、ＰＤＣＣＨで送信される下りリンク制御情報によって、パラメータ（Ｘ１、Ｙ１、Ｚ１、Ｋ１）が指示された場合には、パラメータ（Ｘ１、Ｙ１、Ｚ１、Ｋ１）を使用して、第１の参照信号を生成する。
【０１６８】
また、端末は、ＰＤＣＣＨで送信される下りリンク制御情報によって、パラメータ（Ｘ０、Ｙ０、Ｚ０、Ｋ０）が指示された場合には、パラメータ（Ｘ０、Ｙ０、Ｚ０、Ｋ０）を使用して、第２の参照信号を生成する。また、端末は、ＰＤＣＣＨで送信される下りリンク制御情報によって、パラメータ（Ｘ１、Ｙ１、Ｚ１、Ｋ１）が指示された場合には、パラメータ（Ｘ１、Ｙ１、Ｚ１、Ｋ１）を使用して、第２の参照信号を生成する。
【０１６９】
ここで、基地局は、パラメータのセットのそれぞれに、パラメータ“Ｍ”を含めて送信することができる。すなわち、基地局は、パラメータのセットのそれぞれにおいて、系列グループホッピングおよび／または系列ホッピングの有効または無効を指示することができる。例えば、基地局は、複数のセットのパラメータとして、（Ｘ０、Ｙ０、Ｚ０、Ｍ０＝“１”（有効））と（Ｘ１、Ｙ１、Ｚ１、Ｍ１＝“０”（無効））を設定し、ＰＤＣＣＨで送信される下りリンク制御情報（例えば、１ビットの情報）を使用して、（Ｘ０、Ｙ０、Ｚ０、Ｍ０＝“１”（有効））または（Ｘ１、Ｙ１、Ｚ１、Ｍ１＝“０”（無効））を指示することができる。
【０１７０】
端末は、ＰＤＣＣＨで送信される下りリンク制御情報によって、パラメータ（Ｘ０、Ｙ０、Ｚ０、Ｍ０＝“１”（有効））が指示された場合には、パラメータ（Ｘ０、Ｙ０、Ｚ０）を使用するとともに、系列グループホッピングを有効にして、第１の参照信号を生成する。また、端末は、ＰＤＣＣＨで送信される下りリンク制御情報によって、パラメータ（Ｘ１、Ｙ１、Ｚ１、Ｍ１＝“０”（無効））が指示された場合には、パラメータ（Ｘ１、Ｙ１、Ｚ１）を使用するとともに、系列グループホッピングを無効にして、第１の参照信号を生成する。
【０１７１】
以下、説明を容易とするために、パラメータ“Ｘ”を指示するための下りリンク制御情報、および／または、パラメータ“Ｙ”を指示するための下りリンク制御情報、および／または、パラメータ“Ｚ”を指示するための下りリンク制御情報、および／または、パラメータ“Ｋ”を指示するための下りリンク制御情報、および／または、パラメータのセットを指示するための下りリンク制御情報を、パラメータを指示するための下りリンク制御情報と記載する。
【０１７２】
ここで、パラメータを指示するための下りリンク制御情報は、基地局によって上位層の信号を使用してパラメータが設定された場合にのみ、上りリンクグラントに含まれても良い。また、パラメータを指示するための下りリンク制御情報は、基地局によって上位層の信号を使用してパラメータが設定された場合にのみ、下りリンクアサインメントに含まれても良い。
【０１７３】
例えば、基地局は、パラメータを指示するための下りリンク制御情報が、上りリンクグラントに含まれるかどうかを、ｄｅｄｉｃａｔｅｄ  ｓｉｇｎａｌを使用して指示することができる。また、基地局は、パラメータを指示するための下りリンク制御情報が、下りリンクアサインメントに含まれるかどうかを、ｄｅｄｉｃａｔｅｄ  ｓｉｇｎａｌを使用して指示することができる。
【０１７４】
また、基地局は、下りリンクの送信モード（例えば、ＰＤＳＣＨにおける送信モード）および／または上りリンクの送信モード（例えば、ＰＵＳＣＨにおける送信モード）をｄｅｄｉｃａｔｅｄ  ｓｉｇｎａｌを使用して設定することによって、パラメータを指示するための下りリンク制御情報が、上りリンクグラントに含まれるかどうかを、指示することができる。また、基地局は、下りリンクの送信モードおよび／または上りリンクの送信モードをｄｅｄｉｃａｔｅｄ  ｓｉｇｎａｌを使用して設定することによって、パラメータを指示するための下りリンク制御情報が、下りリンクアサインメントに含まれるかどうかを、指示することができる。
【０１７５】
すなわち、端末は、ある特定の下りリンクの送信モードおよび／または上りリンクの送信モードが設定された場合にのみ、パラメータを指示するための下りリンク制御情報が、上りリンクグラントに含まれることを識別することができる。また、端末は、ある特定の下りリンクの送信モードおよび／または上りリンクの送信モードが設定された場合にのみ、パラメータを指示するための下りリンク制御情報が、下りリンクアサインメントに含まれることを識別することができる。
【０１７６】
ここで、ある特定の下りリンクの送信モードおよび／または上りリンクの送信モードは、予め仕様などによって定義され、基地局と端末との間で既知の情報としておくことができる。
【０１７７】
また、基地局は、パラメータを指示するための下りリンク制御情報が上りリンクグラントに含まれることと、パラメータを指示するための下りリンク制御情報が下りリンクアサインメントに含まれることを、単一の情報を使用して設定（指示）しても良い。例えば、基地局は、単一の情報を、ｄｅｄｉｃａｔｅｄ  ｓｉｇｎａｌを使用して送信することができる。また、基地局は、単一の情報として、下りリンクの送信モードおよび／または上りリンクの送信モードを送信することができる。
【０１７８】
また、基地局は、パラメータを指示するための下りリンク制御情報を、ユーザー装置スペシフィックサーチスペースで送信する上りリンクグラントにのみ含めてもよい。また、基地局は、パラメータを指示するための下りリンク制御情報を、ユーザー装置スペシフィックサーチスペースで送信する下りリンクアサインメントにのみ含めてもよい。
【０１７９】
ここで、パラメータを指示するための下りリンク制御情報に、デフォルト値が設定されても良い。すなわち、端末は、基地局によって設定されるまでは、デフォルト値を使用することができる。ここで、デフォルト値は、予め仕様などによって定義され、基地局と端末との間で既知の情報としておくことができる。
【０１８０】
例えば、パラメータ“Ｘ”のデフォルト値は、ＮＩＤｃｅｌｌであっても良い。また、パラメータ“Ｙ”のデフォルト値は、パラメータΔｓｓの値であっても良い。また、パラメータ“Ｙ”のデフォルト値は、基地局によってＳＩＢ２を使用して指定されても良い。また、パラメータ“Ｙ”のデフォルト値は、“０”であっても良い。また、パラメータ“Ｚ”のデフォルト値は、数式１７（１）に従って算出されても良い。ここで、数式１７（１）におけるｆｓｓＰＵＳＣＨは、基地局によってＳＩＢ２を使用して指定されたパラメータΔｓｓに基づいて算出されても良い。また、パラメータ“Ｋ”のデフォルト値は、ＮＩＤｃｅｌｌ（例えば、プライマリセルに対応するＮＩＤｃｅｌｌ）であっても良い。また、パラメータ“Ｍ”のデフォルト値は、“無効”であっても良い。
【０１８１】
以下、物理レイヤセルアイデンティティＮＩＤｃｅｌｌおよび／またはパラメータΔｓｓを、第１のパラメータとも記載する。また、パラメータ“Ｘ”および／またはパラメータ“Ｙ”および／またはパラメータ“Ｚ”および／またはパラメータ“Ｋ” および／またはパラメータ“Ｍ”を、第２のパラメータとも記載する。
【０１８２】
ここで、図５に示すように、端末は、条件を識別し、条件に基づいて、第１の参照信号（第１の参照信号の系列の生成でも良い）に関するパラメータを切り換える。すなわち、端末は、条件がＡの場合には、上述の数式において、第１のパラメータを使用して、第１の参照信号を生成する。
【０１８３】
また、端末は、条件を識別し、条件に基づいて、第２の参照信号（第２の参照信号の系列の生成でも良い）に関するパラメータを切り換える。すなわち、端末は、条件がＡの場合には、上述の数式において、第１のパラメータを使用して、第２の参照信号を生成する。
【０１８４】
また、端末は、条件を識別し、条件に基づいて、ＰＵＣＣＨ（ＰＵＣＣＨで送信される上りリンク信号の生成でも良い）に関するパラメータを切り換える。すなわち、端末は、条件がＡの場合には、上述の数式において、第１のパラメータを使用して、ＰＵＣＣＨで送信される上りリンク信号を生成する。
【０１８５】
すなわち、端末は、条件がＡの場合には、第１のパラメータを使用して生成した第１の参照信号（第１の参照信号の系列の一部でも良い）を、ＰＵＳＣＨの送信（ＰＵＳＣＨでの送信）のために割り当てられたリソースブロック内のリソースエレメントにマップする。
【０１８６】
また、端末は、条件がＡの場合には、第１のパラメータを使用して生成した第２の参照信号（第２の参照信号の系列の一部でも良い）を、ＰＵＣＣＨの送信（ＰＵＣＣＨでの送信）のために割り当てられたリソースブロック内のリソースエレメントにマップする。
【０１８７】
また、端末は、条件がＡの場合には、第１のパラメータを使用して生成した上りリンク信号を、ＰＵＣＣＨの送信（ＰＵＣＣＨでの送信）のために割り当てられたリソースブロック内のリソースエレメントにマップする。
【０１８８】
また、基地局は、条件を識別し、条件に基づいて、第１の参照信号（第１の参照信号の系列の生成でも良い）に関するパラメータを切り換える。すなわち、基地局は、条件がＡの場合には、上述の数式において、第１のパラメータを使用して、第１の参照信号が生成されると想定する。
【０１８９】
また、基地局は、条件を識別し、条件に基づいて、第２の参照信号（第２の参照信号の系列の生成でも良い）に関するパラメータを切り換える。すなわち、基地局は、条件がＡの場合には、上述の数式において、第１のパラメータを使用して、第２の参照信号が生成されると想定する。
【０１９０】
また、基地局は、条件を識別し、条件に基づいて、ＰＵＣＣＨ（ＰＵＣＣＨで送信される上りリンク信号の生成でも良い）に関するパラメータを切り換える。すなわち、基地局は、条件がＡの場合には、上述の数式において、第１のパラメータを使用して、ＰＵＣＣＨで送信される上りリンク信号が生成されると想定する。
【０１９１】
すなわち、基地局は、条件がＡの場合には、第１のパラメータを使用して生成された第１の参照信号（第１の参照信号の系列の一部でも良い）が、ＰＵＳＣＨの送信（ＰＵＳＣＨでの送信）のために割り当てられたリソースブロック内のリソースエレメントにマップされていると想定する。
【０１９２】
また、基地局は、条件がＡの場合には、第１のパラメータを使用して生成された第２の参照信号（第２の参照信号の系列の一部でも良い）が、ＰＵＣＣＨの送信（ＰＵＣＣＨでの送信）のために割り当てられたリソースブロック内のリソースエレメントにマップされていると想定する。
【０１９３】
また、基地局は、条件がＡの場合には、第１のパラメータを使用して生成された上りリンク信号が、ＰＵＣＣＨの送信（ＰＵＣＣＨでの送信）のために割り当てられたリソースブロック内のリソースエレメントにマップされていると想定する。
【０１９４】
また、端末は、条件がＢの場合には、上述の数式において、第２のパラメータを使用して、第１の参照信号を生成する。また、端末は、条件がＢの場合には、上述の数式において、第２のパラメータを使用して、第２の参照信号を生成する。また、端末は、条件がＢの場合には、上述の数式において、第２のパラメータを使用して、ＰＵＣＣＨで送信される上りリンク信号を生成する。
【０１９５】
すなわち、端末は、条件がＢの場合には、第２のパラメータを使用して生成した第１の参照信号（第１の参照信号の系列の一部でも良い）を、ＰＵＳＣＨの送信（ＰＵＳＣＨでの送信）のために割り当てられたリソースブロック内のリソースエレメントにマップする。
【０１９６】
また、端末は、条件がＢの場合には、第２のパラメータを使用して生成した第２の参照信号（第２の参照信号の系列の一部でも良い）を、ＰＵＣＣＨの送信（ＰＵＣＣＨでの送信）のために割り当てられたリソースブロック内のリソースエレメントにマップする。
【０１９７】
また、端末は、条件がＢの場合には、第２のパラメータを使用して生成した上りリンク信号を、ＰＵＣＣＨの送信（ＰＵＣＣＨでの送信）のために割り当てられたリソースブロック内のリソースエレメントにマップする。
【０１９８】
また、基地局は、条件がＢの場合には、上述の数式において、第２のパラメータを使用して、第１の参照信号が生成されると想定する。また、端末は、条件がＢの場合には、上述の数式において、第２のパラメータを使用して、第２の参照信号が生成されると想定する。また、端末は、条件がＢの場合には、上述の数式において、第２のパラメータを使用して、ＰＵＣＣＨで送信される上りリンク信号が生成されると想定する。
【０１９９】
すなわち、基地局は、条件がＢの場合には、第２のパラメータを使用して生成された第１の参照信号（第１の参照信号の系列の一部でも良い）が、ＰＵＳＣＨの送信（ＰＵＳＣＨでの送信）のために割り当てられたリソースブロック内のリソースエレメントにマップされていると想定する。
【０２００】
また、基地局は、条件がＢの場合には、第２のパラメータを使用して生成された第２の参照信号（第２の参照信号の系列の一部でも良い）が、ＰＵＣＣＨの送信（ＰＵＣＣＨでの送信）のために割り当てられたリソースブロック内のリソースエレメントにマップされていると想定する。
【０２０１】
また、基地局は、条件がＢの場合には、第２のパラメータを使用して生成された上りリンク信号が、ＰＵＣＣＨの送信（ＰＵＣＣＨでの送信）のために割り当てられたリソースブロック内のリソースエレメントにマップされていると想定する。
【０２０２】
ここで、条件Ａには、ＣＳＳにおいてＰＤＣＣＨを検出（デコード）したこと、が含まれる。すなわち、端末は、ＣＳＳにおいてＰＤＣＣＨを検出した場合には、第１のパラメータを使用して生成した第１の参照信号を送信する。また、端末は、ＣＳＳにおいてＰＤＣＣＨを検出した場合には、第１のパラメータを使用して生成した第２の参照信号を送信する。また、端末は、ＣＳＳにおいてＰＤＣＣＨを検出した場合には、第１のパラメータを使用して生成した上りリンク信号をＰＵＣＣＨで送信する。
【０２０３】
また、基地局は、ＣＳＳにおいてＰＤＣＣＨを配置した場合には、第１のパラメータを使用して生成された第２の参照信号を受信する。また、基地局は、ＣＳＳにおいてＰＤＣＣＨを配置した場合には、第１のパラメータを使用して生成された第２の参照信号を受信する。また、基地局は、ＣＳＳにおいてＰＤＣＣＨを配置した場合には、第１のパラメータを使用して生成された上りリンク信号をＰＵＣＣＨで受信する。
【０２０４】
すなわち、端末は、ＣＳＳにおいてＰＤＣＣＨを検出した場合には、ＮＩＤｃｅｌｌを使用して生成した第１の参照信号を送信する。また、端末は、ＣＳＳにおいてＰＤＣＣＨを検出した場合には、ＮＩＤｃｅｌｌを使用して生成した第２の参照信号を送信する。また、端末は、ＣＳＳにおいてＰＤＣＣＨを検出した場合には、ＮＩＤｃｅｌｌを使用して生成した上りリンク信号をＰＵＣＣＨで送信する。また、端末は、ＣＳＳにおいてＰＤＣＣＨを検出した場合には、パラメータΔｓｓを使用して生成した第１の参照信号を送信する。
【０２０５】
また、条件Ｂには、ＵＳＳにおいてＰＤＣＣＨを検出（デコード）したこと、が含まれる。すなわち、端末は、ＵＳＳにおいてＰＤＣＣＨを検出した場合には、第２のパラメータを使用して生成した第１の参照信号を送信する。また、端末は、ＵＳＳにおいてＰＤＣＣＨを検出した場合には、第２のパラメータを使用して生成した第２の参照信号を送信する。また、端末は、ＵＳＳにおいてＰＤＣＣＨを検出した場合には、第２のパラメータを使用して生成した上りリンク信号をＰＵＣＣＨで送信する。
【０２０６】
また、基地局は、ＵＳＳにおいてＰＤＣＣＨを配置した場合には、第２のパラメータを使用して生成された第１の参照信号を受信する。また、基地局は、ＵＳＳにおいてＰＤＣＣＨを配置した場合には、第２のパラメータを使用して生成された第２の参照信号を受信する。また、基地局は、ＵＳＳにおいてＰＤＣＣＨを配置した場合には、第２のパラメータを使用して生成された上りリンク信号をＰＵＣＣＨで受信する。
【０２０７】
すなわち、端末は、ＵＳＳにおいてＰＤＣＣＨを検出した場合には、パラメータ“Ｘ”を使用して生成した第１の参照信号を送信する。また、端末は、ＵＳＳにおいてＰＤＣＣＨを検出した場合には、パラメータ“Ｙ”を使用して生成した第１の参照信号を送信する。また、端末は、ＵＳＳにおいてＰＤＣＣＨを検出した場合には、パラメータ“Ｚ”を使用して生成した第１の参照信号を送信する。
【０２０８】
また、端末は、ＵＳＳにおいてＰＤＣＣＨを検出した場合には、パラメータ“Ｘ”を使用して生成した第２の参照信号を送信する。また、端末は、ＵＳＳにおいてＰＤＣＣＨを検出した場合には、パラメータ“Ｘ”を使用して生成した上りリンク信号をＰＵＣＣＨで送信する。また、端末は、ＵＳＳにおいてＰＤＣＣＨを検出した場合には、パラメータ“Ｋ”を使用して生成した上りリンク信号をＰＵＣＣＨで送信する。
【０２０９】
ここで、パラメータを指示するための下りリンク制御情報（例えば、基準系列インデックスに関する情報、ＰＵＣＣＨに関連する基準系列インデックスに関する情報）は、ＵＳＳにおけるＰＤＣＣＨで送信される。
【０２１０】
すなわち、端末は、ＰＤＣＣＨを検出したサーチスペースに基づいて、異なる方法で（異なるパラメータを使用して）生成された第１の参照信号を基地局へ送信する。すなわち、端末は、ＰＤＣＣＨを、ＣＳＳにおいて検出したか、ＵＳＳにおいて検出したか、に基づいて、異なる方法で第１の参照信号を生成する。
【０２１１】
また、端末は、ＰＤＣＣＨを検出したサーチスペースに基づいて、異なる方法で生成された第２の参照信号を基地局へ送信する。すなわち、端末は、ＰＤＣＣＨを、ＣＳＳにおいて検出したか、ＵＳＳにおいて検出したか、に基づいて、異なる方法で第２の参照信号を生成する。
【０２１２】
また、端末は、ＰＤＣＣＨを検出したサーチスペースに基づいて、異なる方法で生成した上りリンク信号をＰＵＣＣＨで送信する。すなわち、端末は、ＰＤＣＣＨを、ＣＳＳにおいて検出したか、ＵＳＳにおいて検出したか、に基づいて、異なる方法で生成した上りリンク信号をＰＵＣＣＨで送信する。
【０２１３】
すなわち、端末は、ＰＤＣＣＨをＣＳＳで検出した場合には、第１のパラメータを使用して生成した上りリンク信号をＰＵＣＣＨで送信し、ＰＤＣＣＨをＵＳＳで検出した場合には、第２のパラメータを使用して生成した上りリンク信号をＰＵＣＣＨで送信する。
【０２１４】
また、基地局は、ＰＤＣＣＨをＣＳＳに配置した場合には、第１のパラメータを使用して生成した上りリンク信号をＰＵＣＣＨで受信し、ＰＤＣＣＨをＵＳＳで検出した場合には、第２のパラメータを使用して生成した上りリンク信号をＰＵＣＣＨで受信する。
【０２１５】
また、条件Ａには、Ｔｅｍｐｏｒａｒｙ  Ｃ−ＲＮＴＩによってスクランブルされたＣＲＣを伴うＰＤＣＣＨを検出（デコード）したこと、が含まれる。すなわち、端末は、Ｔｅｍｐｏｒａｒｙ  Ｃ−ＲＮＴＩによってスクランブルされたＣＲＣを伴うＰＤＣＣＨを検出した場合には、第１のパラメータを使用して生成した第１の参照信号を送信する。また、端末は、Ｔｅｍｐｏｒａｒｙ  Ｃ−ＲＮＴＩによってスクランブルされたＣＲＣを伴うＰＤＣＣＨを検出した場合には、第１のパラメータを使用して生成した第２の参照信号を送信する。また、端末は、Ｔｅｍｐｏｒａｒｙ  Ｃ−ＲＮＴＩによってスクランブルされたＣＲＣを伴うＰＤＣＣＨを検出した場合には、第１のパラメータを使用して生成した上りリンク信号をＰＵＣＣＨで送信する。
【０２１６】
また、基地局は、Ｔｅｍｐｏｒａｒｙ  Ｃ−ＲＮＴＩによってスクランブルされたＣＲＣを伴うＰＤＣＣＨを配置した場合には、第１のパラメータを使用して生成された第１の参照信号を受信する。また、基地局は、Ｔｅｍｐｏｒａｒｙ  Ｃ−ＲＮＴＩによってスクランブルされたＣＲＣを伴うＰＤＣＣＨを配置した場合には、第１のパラメータを使用して生成された第２の参照信号を受信する。また、基地局は、Ｔｅｍｐｏｒａｒｙ  Ｃ−ＲＮＴＩによってスクランブルされたＣＲＣを伴うＰＤＣＣＨを配置した場合には、第１のパラメータを使用して生成された上りリンク信号をＰＵＣＣＨで受信する。
【０２１７】
すなわち、端末は、Ｔｅｍｐｏｒａｒｙ  Ｃ−ＲＮＴＩによってスクランブルされたＣＲＣを伴うＰＤＣＣＨを検出した場合には、ＮＩＤｃｅｌｌを使用して生成した第１の参照信号を送信する。また、端末は、Ｔｅｍｐｏｒａｒｙ  Ｃ−ＲＮＴＩによってスクランブルされたＣＲＣを伴うＰＤＣＣＨを検出した場合には、ＮＩＤｃｅｌｌを使用して生成した第２の参照信号を送信する。また、端末は、Ｔｅｍｐｏｒａｒｙ  Ｃ−ＲＮＴＩによってスクランブルされたＣＲＣを伴うＰＤＣＣＨを検出した場合には、ＮＩＤｃｅｌｌを使用して生成した上りリンク信号をＰＵＣＣＨで送信する。また、端末は、Ｔｅｍｐｏｒａｒｙ  Ｃ−ＲＮＴＩによってスクランブルされたＣＲＣを伴うＰＤＣＣＨを検出した場合には、パラメータΔｓｓを使用して生成した第１の参照信号を送信する。
【０２１８】
また、条件Ｂには、Ｃ−ＲＮＴＩによってスクランブルされたＣＲＣを伴うＰＤＣＣＨを検出（デコード）したこと、が含まれる。すなわち、端末は、Ｃ−ＲＮＴＩによってスクランブルされたＣＲＣを伴うＰＤＣＣＨを検出した場合には、第２のパラメータを使用して生成した第１の参照信号を送信する。また、端末は、Ｃ−ＲＮＴＩによってスクランブルされたＣＲＣを伴うＰＤＣＣＨを検出した場合には、第２のパラメータを使用して生成した第２の参照信号を送信する。また、端末は、Ｃ−ＲＮＴＩによってスクランブルされたＣＲＣを伴うＰＤＣＣＨを検出した場合には、第２のパラメータを使用して生成した上りリンク信号をＰＵＣＣＨで送信する。
【０２１９】
また、基地局は、Ｃ−ＲＮＴＩによってスクランブルされたＣＲＣを伴うＰＤＣＣＨを配置した場合には、第２のパラメータを使用して生成された第１の参照信号を受信する。また、基地局は、Ｃ−ＲＮＴＩによってスクランブルされたＣＲＣを伴うＰＤＣＣＨを配置した場合には、第２のパラメータを使用して生成された第２の参照信号を受信する。また、基地局は、Ｃ−ＲＮＴＩによってスクランブルされたＣＲＣを伴うＰＤＣＣＨを配置した場合には、第２のパラメータを使用して生成された上りリンク信号をＰＵＣＣＨで受信する。
【０２２０】
すなわち、端末は、Ｃ−ＲＮＴＩによってスクランブルされたＣＲＣを伴うＰＤＣＣＨを検出した場合には、パラメータ“Ｘ”を使用して生成した第１の参照信号を送信する。また、端末は、Ｃ−ＲＮＴＩによってスクランブルされたＣＲＣを伴うＰＤＣＣＨを検出した場合には、パラメータ“Ｙ”を使用して生成した第１の参照信号を送信する。また、端末は、Ｃ−ＲＮＴＩによってスクランブルされたＣＲＣを伴うＰＤＣＣＨを検出した場合には、パラメータ“Ｚ”を使用して生成した第１の参照信号を送信する。
【０２２１】
また、端末は、Ｃ−ＲＮＴＩによってスクランブルされたＣＲＣを伴うＰＤＣＣＨを検出した場合には、パラメータ“Ｘ”を使用して生成した第２の参照信号を送信する。また、端末は、Ｃ−ＲＮＴＩによってスクランブルされたＣＲＣを伴うＰＤＣＣＨを検出した場合には、パラメータ“Ｘ”を使用して生成した上りリンク信号をＰＵＣＣＨで送信する。また、端末は、Ｃ−ＲＮＴＩによってスクランブルされたＣＲＣを伴うＰＤＣＣＨを検出した場合には、パラメータ“Ｋ”を使用して生成した上りリンク信号をＰＵＣＣＨで送信する。
【０２２２】
ここで、パラメータを指示するための下りリンク制御情報（例えば、基準系列インデックスに関する情報、ＰＵＣＣＨに関連する基準系列インデックスに関する情報）は、Ｃ−ＲＮＴＩによってスクランブルされたＣＲＣを伴うＰＤＣＣＨで送信される。
【０２２３】
すなわち、端末は、ＣＲＣがスクランブルされたＲＮＴＩに基づいて、異なる方法で（異なるパラメータを使用して）生成された第１の参照信号を基地局へ送信する。すなわち、端末は、ＣＲＣが、Ｔｅｍｐｏｒａｒｙ  Ｃ−ＲＮＴＩによってスクランブルされているか、Ｃ−ＲＮＴＩによってスクランブルされているか、に基づいて、異なる方法で第１の参照信号を生成する。
【０２２４】
また、端末は、ＣＲＣがスクランブルされたＲＮＴＩに基づいて、異なる方法で生成された第２の参照信号を基地局へ送信する。すなわち、端末は、ＣＲＣが、Ｔｅｍｐｏｒａｒｙ  Ｃ−ＲＮＴＩによってスクランブルされているか、Ｃ−ＲＮＴＩによってスクランブルされているか、に基づいて、異なる方法で第２の参照信号を生成する。
【０２２５】
また、端末は、ＣＲＣがスクランブルされたＲＮＴＩに基づいて、異なる方法で生成された上りリンク信号をＰＵＣＣＨで送信する。すなわち、端末は、ＣＲＣが、Ｔｅｍｐｏｒａｒｙ  Ｃ−ＲＮＴＩによってスクランブルされているか、Ｃ−ＲＮＴＩによってスクランブルされているか、に基づいて、異なる方法でＰＵＣＣＨの信号を生成する。
【０２２６】
また、条件Ａには、ＣＳＳにおいて、Ｃ−ＲＮＴＩまたはＴｅｍｐｏｒａｒｙ  Ｃ−ＲＮＴＩによってスクランブルされたＣＲＣを伴うＰＤＣＣＨを検出（デコード）したこと、が含まれても良い。すなわち、端末は、ＣＳＳにおいて、Ｃ−ＲＮＴＩまたはＴｅｍｐｏｒａｒｙ  Ｃ−ＲＮＴＩによってスクランブルされたＣＲＣを伴うＰＤＣＣＨを検出した場合には、第１のパラメータを使用して生成した第１の参照信号を送信する。また、端末は、ＣＳＳにおいて、Ｃ−ＲＮＴＩまたはＴｅｍｐｏｒａｒｙ  Ｃ−ＲＮＴＩによってスクランブルされたＣＲＣを伴うＰＤＣＣＨを検出した場合には、第１のパラメータを使用して生成した第２の参照信号を送信する。また、端末は、ＣＳＳにおいて、Ｃ−ＲＮＴＩまたはＴｅｍｐｏｒａｒｙ  Ｃ−ＲＮＴＩによってスクランブルされたＣＲＣを伴うＰＤＣＣＨを検出した場合には、第１のパラメータを使用して生成した上りリンク信号をＰＵＣＣＨで送信する。
【０２２７】
また、基地局は、ＣＳＳにおいて、Ｃ−ＲＮＴＩまたはＴｅｍｐｏｒａｒｙ  Ｃ−ＲＮＴＩによってスクランブルされたＣＲＣを伴うＰＤＣＣＨを配置した場合には、第１のパラメータを使用して生成された第１の参照信号を受信する。また、基地局は、ＣＳＳにおいて、Ｃ−ＲＮＴＩまたはＴｅｍｐｏｒａｒｙ  Ｃ−ＲＮＴＩによってスクランブルされたＣＲＣを伴うＰＤＣＣＨを配置した場合には、第１のパラメータを使用して生成された第２の参照信号を受信する。また、基地局は、ＣＳＳにおいて、Ｃ−ＲＮＴＩまたはＴｅｍｐｏｒａｒｙ  Ｃ−ＲＮＴＩによってスクランブルされたＣＲＣを伴うＰＤＣＣＨを配置した場合には、第１のパラメータを使用して生成された上りリンク信号をＰＵＣＣＨで受信する。
【０２２８】
すなわち、端末は、ＣＳＳにおいて、Ｃ−ＲＮＴＩまたはＴｅｍｐｏｒａｒｙ  Ｃ−ＲＮＴＩによってスクランブルされたＣＲＣを伴うＰＤＣＣＨを検出した場合には、ＮＩＤｃｅｌｌを使用して生成した第１の参照信号を送信する。また、端末は、ＣＳＳにおいて、Ｃ−ＲＮＴＩまたはＴｅｍｐｏｒａｒｙ  Ｃ−ＲＮＴＩによってスクランブルされたＣＲＣを伴うＰＤＣＣＨを検出した場合には、ＮＩＤｃｅｌｌを使用して生成した第２の参照信号を送信する。また、端末は、ＣＳＳにおいて、Ｃ−ＲＮＴＩまたはＴｅｍｐｏｒａｒｙ  Ｃ−ＲＮＴＩによってスクランブルされたＣＲＣを伴うＰＤＣＣＨを検出した場合には、ＮＩＤｃｅｌｌを使用して生成した上りリンク信号をＰＵＣＣＨで送信する。また、端末は、ＣＳＳにおいて、Ｃ−ＲＮＴＩまたはＴｅｍｐｏｒａｒｙ  Ｃ−ＲＮＴＩによってスクランブルされたＣＲＣを伴うＰＤＣＣＨを検出した場合には、パラメータΔｓｓを使用して生成した第１の参照信号を送信する。
【０２２９】
また、条件Ｂには、ＵＳＳにおいて、Ｃ−ＲＮＴＩによってスクランブルされたＣＲＣを伴うＰＤＣＣＨを検出（デコード）したこと、で含まれても良い。ここで、例えば、Ｔｅｍｐｏｒａｒｙ  Ｃ−ＲＮＴＩによってスクランブルされたＣＲＣを伴うＰＤＣＣＨは、ＣＳＳのみに配置される。すなわち、端末は、ＵＳＳにおいて、Ｃ−ＲＮＴＩによってスクランブルされたＣＲＣを伴うＰＤＣＣＨを検出した場合には、第２のパラメータを使用して生成した第１の参照信号を送信する。また、端末は、ＵＳＳにおいて、Ｃ−ＲＮＴＩによってスクランブルされたＣＲＣを伴うＰＤＣＣＨを検出した場合には、第２のパラメータを使用して生成した第２の参照信号を送信する。また、端末は、ＵＳＳにおいて、Ｃ−ＲＮＴＩによってスクランブルされたＣＲＣを伴うＰＤＣＣＨを検出した場合には、第２のパラメータを使用して生成した上りリンク信号をＰＵＣＣＨで送信する。
【０２３０】
また、基地局は、ＵＳＳにおいて、Ｃ−ＲＮＴＩによってスクランブルされたＣＲＣを伴うＰＤＣＣＨを配置した場合には、第２のパラメータを使用して生成された第１の参照信号を受信する。また、基地局は、ＵＳＳにおいて、Ｃ−ＲＮＴＩによってスクランブルされたＣＲＣを伴うＰＤＣＣＨを配置した場合には、第２のパラメータを使用して生成された第２の参照信号を受信する。また、基地局は、ＵＳＳにおいて、Ｃ−ＲＮＴＩによってスクランブルされたＣＲＣを伴うＰＤＣＣＨを配置した場合には、第２のパラメータを使用して生成された上りリンク信号をＰＵＣＣＨで受信する。
【０２３１】
すなわち、端末は、ＵＳＳにおいて、Ｃ−ＲＮＴＩによってスクランブルされたＣＲＣを伴うＰＤＣＣＨを検出した場合には、パラメータ“Ｘ”を使用して生成した第１の参照信号を送信する。また、端末は、ＵＳＳにおいて、Ｃ−ＲＮＴＩによってスクランブルされたＣＲＣを伴うＰＤＣＣＨを検出した場合には、パラメータ“Ｙ”を使用して生成した第１の参照信号を送信する。また、端末は、ＵＳＳにおいて、Ｃ−ＲＮＴＩによってスクランブルされたＣＲＣを伴うＰＤＣＣＨを検出した場合には、パラメータ“Ｚ”を使用して生成した第１の参照信号を送信する。
【０２３２】
また、端末は、ＵＳＳにおいて、Ｃ−ＲＮＴＩによってスクランブルされたＣＲＣを伴うＰＤＣＣＨを検出した場合には、パラメータ“Ｘ”を使用して生成した第２の参照信号を送信する。また、端末は、ＵＳＳにおいて、Ｃ−ＲＮＴＩによってスクランブルされたＣＲＣを伴うＰＤＣＣＨを検出した場合には、パラメータ“Ｘ”を使用して生成した上りリンク信号をＰＵＣＣＨで送信する。また、端末は、ＵＳＳにおいて、Ｃ−ＲＮＴＩによってスクランブルされたＣＲＣを伴うＰＤＣＣＨを検出した場合には、パラメータ“Ｋ”を使用して生成した上りリンク信号をＰＵＣＣＨで送信する。
【０２３３】
ここで、パラメータを指示するための下りリンク制御情報（例えば、基準系列インデックスに関する情報、ＰＵＣＣＨに関連する基準系列インデックスに関する情報）は、ＵＳＳにおいて、Ｃ−ＲＮＴＩによってスクランブルされたＣＲＣを伴うＰＤＣＣＨで送信される。
【０２３４】
すなわち、端末は、ＰＤＣＣＨを検出したサーチスペースと、ＣＲＣにスクランブルされたＲＮＴＩに基づいて、異なる方法で（異なるパラメータを使用して）生成された第１の参照信号を基地局へ送信する。また、端末は、ＰＤＣＣＨを検出したサーチスペースと、ＣＲＣにスクランブルされたＲＮＴＩに基づいて、異なる方法で生成された第２の参照信号を基地局へ送信する。また、端末は、ＰＤＣＣＨを検出したサーチスペースと、ＣＲＣにスクランブルされたＲＮＴＩに基づいて、異なる方法で生成された上りリンク信号をＰＵＣＣＨで送信する。
【０２３５】
また、条件Ａには、所定のＤＣＩフォーマット（以下、第１のＤＣＩフォーマットと記載する）を受信（検出、デコード）したこと、が含まれる。ここで、第１のＤＣＩフォーマットは、予め仕様などによって定義され、基地局と端末との間で既知の情報としておくことができる。例えば、第１のＤＣＩフォーマットには、ＤＣＩフォーマット０が含まれる。ここで、ＤＣＩフォーマット０は、ＣＳＳおよび／またはＵＳＳにおけるＰＤＣＣＨで送信される。
【０２３６】
すなわち、端末は、第１のＤＣＩフォーマットを受信した場合には、第１のパラメータを使用して生成した第１の参照信号を送信する。また、端末は、第１のＤＣＩフォーマットを受信した場合には、第１のパラメータを使用して生成した第２の参照信号を送信する。また、端末は、第１のＤＣＩフォーマットを受信した場合には、第１のパラメータを使用して生成した上りリンク信号をＰＵＣＣＨで送信する。
【０２３７】
また、基地局は、第１のＤＣＩフォーマットを送信した場合には、第１のパラメータを使用して生成された第１の参照信号を受信する。また、基地局は、第１のＤＣＩフォーマットを送信した場合には、第１のパラメータを使用して生成された第２の参照信号を受信する。また、基地局は、第１のＤＣＩフォーマットを送信した場合には、第１のパラメータを使用して生成された上りリンク信号をＰＵＣＣＨで受信する。
【０２３８】
すなわち、端末は、第１のＤＣＩフォーマットを受信した場合には、ＮＩＤｃｅｌｌを使用して生成した第１の参照信号を送信する。また、端末は、第１のＤＣＩフォーマットを受信した場合には、ＮＩＤｃｅｌｌを使用して生成した第２の参照信号を送信する。また、端末は、第１のＤＣＩフォーマットを受信した場合には、ＮＩＤｃｅｌｌを使用して生成した上りリンク信号をＰＵＣＣＨで送信する。また、端末は、第１のＤＣＩフォーマットを受信した場合には、パラメータΔｓｓを使用して生成した第１の参照信号を送信する。
【０２３９】
また、条件Ｂには、所定のＤＣＩフォーマット以外のＤＣＩフォーマット（以下、第２のＤＣＩフォーマット）を受信（検出）したこと、が含まれる。例えば、第２のＤＣＩフォーマットには、ＤＣＩフォーマット４が含まれる。ここで、ＤＣＩフォーマット４は、ＵＳＳにおけるＰＤＣＣＨのみで送信される。
【０２４０】
すなわち、端末は、第２のＤＣＩフォーマットを受信した場合には、第２のパラメータを使用して生成した第１の参照信号を送信する。また、端末は、第２のＤＣＩフォーマットを受信した場合には、第２のパラメータを使用して生成した第２の参照信号を送信する。また、端末は、第２のＤＣＩフォーマットを受信した場合には、第２のパラメータを使用して生成した上りリンク信号をＰＵＣＣＨで送信する。
【０２４１】
また、基地局は、第２のＤＣＩフォーマットを送信した場合には、第２のパラメータを使用して生成された第１の参照信号を受信する。また、基地局は、第２のＤＣＩフォーマットを送信した場合には、第２のパラメータを使用して生成された第２の参照信号を受信する。また、基地局は、第２のＤＣＩフォーマットを送信した場合には、第２のパラメータを使用して生成された上りリンク信号をＰＵＣＣＨで受信する。
【０２４２】
すなわち、端末は、第２のＤＣＩフォーマットを受信した場合には、パラメータ“Ｘ”を使用して生成した第１の参照信号を送信する。また、端末は、第２のＤＣＩフォーマットを受信した場合には、パラメータ“Ｙ”を使用して生成した第１の参照信号を送信する。また、端末は、第２のＤＣＩフォーマットを受信した場合には、パラメータ“Ｚ”を使用して生成した第１の参照信号を送信する。
【０２４３】
また、端末は、第２のＤＣＩフォーマットを受信した場合には、パラメータ“Ｘ”を使用して生成した第２の参照信号を送信する。また、端末は、第２のＤＣＩフォーマットを受信した場合には、パラメータ“Ｘ”を使用して生成した上りリンク信号をＰＵＣＣＨで送信する。また、端末は、第２のＤＣＩフォーマットを受信した場合には、パラメータ“Ｋ”を使用して生成した上りリンク信号をＰＵＣＣＨで送信する。
【０２４４】
ここで、パラメータを指示するための下りリンク制御情報（例えば、基準系列インデックス、ＰＵＣＣＨに関連する基準系列インデックス）は、第２のＤＣＩフォーマットに含まれて送信される。
【０２４５】
すなわち、端末は、受信したＤＣＩフォーマットに基づいて、異なる方法で（異なるパラメータを使用して）生成された第１の参照信号を基地局へ送信する。また、端末は、受信したＤＣＩフォーマットに基づいて、異なる方法で生成された第２の参照信号を基地局へ送信する。また、端末は、受信したＤＣＩフォーマットに基づいて、異なる方法で生成されたＰＵＣＣＨでの送信を行う。
【０２４６】
すなわち、端末は、ＤＣＩフォーマット、ＰＤＣＣＨを検出したサーチスペース、ＣＲＣにスクランブルされたＲＮＴＩ、およびパラメータを指示するための下りリンク制御情報に基づいて、異なる方法で（異なるパラメータを使用して）生成された第１の参照信号を基地局へ送信する。
【０２４７】
また、端末は、ＤＣＩフォーマット、ＰＤＣＣＨを検出したサーチスペース、ＣＲＣにスクランブルされたＲＮＴＩ、およびパラメータを指示するための下りリンク制御情報に基づいて、異なる方法で生成された第２の参照信号を基地局へ送信する。
【０２４８】
また、端末は、ＤＣＩフォーマット、ＰＤＣＣＨを検出したサーチスペース、ＣＲＣにスクランブルされたＲＮＴＩ、パラメータを指示するための下りリンク制御情報に基づいて、異なる方法で使用して生成された上りリンク信号をＰＵＣＣＨで送信する。
【０２４９】
また、条件Ａには、ランダムアクセスレスポンスグラントによってスケジュールされたＰＵＳＣＨでトランスポートブロック（ＵＬ−ＳＣＨ、上りリンクトランスポートブロック）を初期送信すること、が含まれる。
【０２５０】
すなわち、端末は、ランダムアクセスレスポンスグラントによってスケジュールされたＰＵＳＣＨでトランスポートブロックを初期送信する場合には、第１のパラメータを使用して生成した第１の参照信号を送信する。また、端末は、ランダムアクセスレスポンスグラントによってスケジュールされたＰＵＳＣＨでトランスポートブロックを初期送信する場合には、第１のパラメータを使用して生成した第２の参照信号を送信する。
【０２５１】
また、端末は、条件を識別し、第３のパラメータに基づいて第１の参照信号を生成（第１の参照信号の系列を生成）するか、第４のパラメータに基づいて第１の参照信号を生成するか、を切り換えることができる。すなわち、端末は、条件がＡの場合には、第３のパラメータに基づいて、第１の参照信号を生成する。また、端末は、条件がＢの場合には、第４のパラメータに基づいて、第１の参照信号を生成する。ここで、条件Ａと条件Ｂは、上述した通りである。
【０２５２】
ここで、第３のパラメータとは、セル固有に設定されるパラメータである。例えば、第３のパラメータは、ＳＩＢ２を使用して指定される。例えば、第３のパラメータには、系列グループホッピングの有効または無効に関する情報が含まれる。また、第３のパラメータには、系列ホッピングの有効または無効に関する情報が含まれる。
【０２５３】
また、第４のパラメータとは、端末固有に設定されるパラメータである。例えば、第４のパラメータは、ＤＣＩフォーマットを使用して指示される。また、第４のパラメータは、ｄｅｄｉｃａｔｅｄ  ｓｉｇｎａｌを使用して設定されても良い。例えば、第４のパラメータには、系列グループホッピングの有効または無効に関する設定が含まれる。また、第４のパラメータには、系列ホッピングの有効または無効に関する情報が含まれる。すなわち、第４のパラメータには、上述したパラメータ“Ｍ”が含まれる。
【０２５４】
例えば、端末は、条件がＡの場合には、第３のパラメータ（第３のパラメータの値）に基づいて、系列グループホッピングを有効または無効にして、第１の参照信号を生成する。すなわち、端末は、条件がＡの場合には、第３のパラメータに基づいて、第１の参照信号の系列のグループをスロット毎にホッピングさせるかどうかを決定する。
【０２５５】
また、端末は、条件がＡの場合には、第３のパラメータ（第３のパラメータの値）に基づいて、系列ホッピングを有効または無効にして、第１の参照信号を生成する。すなわち、端末は、条件がＡの場合には、第３のパラメータに基づいて、グループ内において、第１の参照信号の系列をスロット毎にホッピングするかどうかを決定する。
【０２５６】
また、端末は、条件がＢの場合には、第４のパラメータ（第４のパラメータの値）に基づいて、系列グループホッピングを有効または無効にして、第１の参照信号を生成する。すなわち、端末は、条件がＢの場合には、第４のパラメータに基づいて、第１の参照信号の系列のグループをスロット毎にホッピングさせるかどうかを決定する。
【０２５７】
また、端末は、条件がＢの場合には、第４のパラメータ（第４のパラメータの値）に基づいて、系列ホッピングを有効または無効にして、第１の参照信号を生成する。すなわち、端末は、条件がＢの場合には、第４のパラメータに基づいて、グループ内において、第１の参照信号の系列をスロット毎にホッピングするかどうかを決定する。
【０２５８】
また、基地局は、条件を識別し、第３のパラメータに基づいて第１の参照信号が生成（第１の参照信号の系列を生成）されたと想定するか、第４のパラメータに基づいて第１の参照信号が生成されたと想定するか、を切り換えることができる。すなわち、基地局は、条件がＡの場合には、第３のパラメータに基づいて、第１の参照信号を生成されたと想定する。また、基地局は、条件がＢの場合には、第４のパラメータに基づいて、第１の参照信号が生成されたと想定する。ここで、条件Ａと条件Ｂは、上述した通りである。
【０２５９】
例えば、基地局は、条件がＡの場合には、第３のパラメータ（第３のパラメータの値）に基づいて、系列グループホッピングを有効または無効にして、第１の参照信号を受信する。また、基地局は、条件がＡの場合には、第３のパラメータ（第３のパラメータの値）に基づいて、系列ホッピングを有効または無効にして、第１の参照信号を受信する。
【０２６０】
また、基地局は、条件がＢの場合には、第４のパラメータ（第４のパラメータの値）に基づいて、系列グループホッピングを有効または無効にして、第１の参照信号を受信する。また、基地局は、条件がＢの場合には、第４のパラメータ（第４のパラメータの値）に基づいて、系列ホッピングを有効または無効にして、第１の参照信号を受信する。
【０２６１】
上述のような方法によって、例えば、より柔軟に系列を切り換えて、参照信号を送受信することができる。また、上述のような方法によって、より動的に系列を切り換えて、参照信号を送受信することができる。
【０２６２】
例えば、基地局と端末が、ＲＲＣ層における設定を行っている期間に、条件Ａを利用して参照信号を送受信することができる。すなわち、ＲＲＣ層における設定を行う際に生じる、設定が曖昧（不明確）となる期間（基地局と端末との間で、設定に不一致が生じる期間）において、条件Ａを利用して参照信号を送受信することができる。
【０２６３】
ここで、上述したように、端末は、条件Ａの場合には、セル固有のパラメータを使用して、参照信号を生成する。すなわち、基地局と端末が、ＲＲＣ層における設定を行っている期間であっても通信を継続することが可能となり、無線リソースを効率的に使用した通信を行うことができる。
【０２６４】
また、上述のような方法によって、例えば、より柔軟に系列を切り換えて、上りリンク信号を送受信することができる。また、上述のような方法によって、より動的に系列を切り換えて、上りリンク信号を送受信することができる。
【０２６５】
例えば、基地局と端末が、ＲＲＣ層における設定を行っている期間に、条件Ａを利用して上りリンク信号を送受信することができる。すなわち、ＲＲＣ層における設定を行う際に生じる、設定が曖昧（不明確）となる期間（基地局と端末との間で、設定に不一致が生じる期間）において、条件Ａを利用して上りリンク信号を送受信することができる。
【０２６６】
ここで、上述したように、端末は、条件Ａの場合には、セル固有のパラメータを使用して、上りリンク信号を生成する。すなわち、基地局と端末が、ＲＲＣ層における設定を行っている期間であっても通信を継続することが可能となり、無線リソースを効率的に使用した通信を行うことができる。
【０２６７】
本発明に関わるプライマリー基地局、セカンダリー基地局および端末で動作するプログラムは、本発明に関わる上記実施形態の機能を実現するように、ＣＰＵ等を制御するプログラム（コンピュータを機能させるプログラム）である。そして、これら装置で取り扱われる情報は、その処理時に一時的にＲＡＭに蓄積され、その後、各種ＲＯＭやＨＤＤに格納され、必要に応じてＣＰＵによって読み出し、修正・書き込みが行なわれる。プログラムを格納する記録媒体としては、半導体媒体（例えば、ＲＯＭ、不揮発性メモリカード等）、光記録媒体（例えば、ＤＶＤ、ＭＯ、ＭＤ、ＣＤ、ＢＤ等）、磁気記録媒体（例えば、磁気テープ、フレキシブルディスク等）等のいずれであってもよい。また、ロードしたプログラムを実行することにより、上述した実施形態の機能が実現されるだけでなく、そのプログラムの指示に基づき、オペレーティングシステムあるいは他のアプリケーションプログラム等と共同して処理することにより、本発明の機能が実現される場合もある。
【０２６８】
また市場に流通させる場合には、可搬型の記録媒体にプログラムを格納して流通させたり、インターネット等のネットワークを介して接続されたサーバコンピュータに転送したりすることができる。この場合、サーバコンピュータの記憶装置も本発明に含まれる。また、上述したような実施形態におけるプライマリー基地局、セカンダリー基地局および端末の一部、または全てを、典型的には集積回路であるＬＳＩとして実現してもよい。ここで、プライマリー基地局、セカンダリー基地局および端末の各機能ブロックは個別にチップ化してもよいし、一部、または全てを集積してチップ化してもよい。また、集積回路化の手法はＬＳＩに限らず、専用回路または汎用プロセッサなどで実現しても良い。また、半導体技術の進歩によりＬＳＩに代替する集積回路化の技術が出現した場合、当該技術による集積回路を用いることも可能である。
【０２６９】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【産業上の利用可能性】
【０２７０】
本発明は、移動局装置や基地局装置や通信方法や無線通信システムや集積回路に対して好適である。
【符号の説明】
【０２７１】
１００  基地局
１０１  データ制御部
１０２  送信データ変調部
１０３  無線部
１０４  スケジューリング部
１０５  チャネル推定部
１０６  受信データ復調部
１０７  データ抽出部
１０８  上位層
１０９  アンテナ
２００  端末
２０１  データ制御部
２０２  送信データ変調部
２０３  無線部
２０４  スケジューリング部
２０５  チャネル推定部
２０６  受信データ復調部
２０７  データ抽出部
２０８  上位層
２０９  アンテナ
３０１  プライマリー基地局
３０２  セカンダリー基地局
３０３、３０４  端末
３０５、３０６、３０７、３０８  上りリンク
【図１】
2014039297.tif 000025
【図２】
2014039297.tif 000026
【図３】
2014039297.tif 000027
【図４】
2014039297.tif 000028
【図５】
2014039297.tif 000029